(57)【特許請求の範囲】
【請求項１】
一つの画素が３原色に白色を加えた４色の色で表示可能であり、前記４色の色の混合比に対応する色信号を入力し表示する表示装置において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記第１の色補正により得られた第１の色信号及び前記第２の色補正により得られた第２の色信号のいずれかを時間的に切り替えて選択する選択手段と、
その選択された方の色信号を前記画素に表示する表示手段とを備えた、表示装置。
【請求項２】
一つの画素が３原色に白色を加えた４色の色で表示可能であり、前記４色の色の混合比に対応する色信号を入力し表示する表示装置において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成手段と、
その少なくとも彩度の高低がつけられた前記領域を表示する表示手段とを備えた、表示装置。
【請求項３】
前記所定の色とは、黄色、またはマジェンダ色、またはシアン色である、請求項１または２記載の表示装置。
【請求項４】
前記３原色とは、赤色、緑色、及び青色である、請求項１または２記載の表示装置。
【請求項５】
前記色信号は、ＲＧＢ信号である請求項１または２記載の表示装置。
【請求項６】
前記所定の色が黄色である場合、前記色補正手段は、前記画素に対応する前記色信号に黄色の成分が存在する場合、その色信号のＢ信号の値を減少させることによって前記第１の色補正を行い、その色信号のＢ信号の値を増加させることによって前記第２の色補正を行う、請求項５記載の表示装置。
【請求項７】
前記選択手段は、前記表示手段が前記画素に表示するタイミングを決定する信号を利用して、前記第１の色信号及び前記第２の色信号のいずれかを時間的に切り替えて選択する、請求項１記載の表示装置。
【請求項８】
前記高低生成手段は、前記表示手段が前記画素に表示するタイミングを決定する信号を利用して、前記第１の色信号及び前記第２の色信号の選択を行う、請求項２記載の表示装置。
【請求項９】
一つの画素が３原色に白色を加えた４色の色で表示可能であり、前記４色の色の混合比に対応する色信号を入力し表示する表示方法において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正ステップと、
前記第１の色補正により得られた第１の色信号及び前記第２の色補正により得られた第２の色信号のいずれかを時間的に切り替えて選択する選択ステップと、
その選択された方の色信号を前記画素に表示する表示ステップとを備えた、表示方法。
【請求項１０】
一つの画素が３原色に白色を加えた４色の色で表示可能であり、前記４色の色の混合比に対応する色信号を入力し表示する表示方法において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正ステップと、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成ステップと、
その少なくとも彩度の高低がつけられた前記領域を表示する表示ステップとを備えた、表示方法。
【請求項１１】
請求項１記載の表示装置の、前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記第１の色補正により得られた第１の色信号及び前記第２の色補正により得られた第２の色信号のいずれかを時間的に切り替えて選択する選択手段としてコンピュータを機能させるためのプログラム。
【請求項１２】
請求項２記載の表示装置の、前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成手段としてコンピュータを機能させるためのプログラム。
【請求項１３】
請求項１１または１２記載のプログラムを記録した記録媒体であって、コンピュータにより処理可能な記録媒体。
【請求項１４】
一つの画素が３原色に白色を加えた４色の色で表示可能であり、前記４色の混合比に対応する色信号が入力され、表示される表示装置であって、
所定領域の各画素に対応する各色信号に所定の色成分が含まれているか否かを検出する色検出手段と、
前記色信号の彩度を増加させ、第１の色信号を作成する第１の色補正と、前記色信号のうち前記３原色の１色の信号の値を増加させ、第２の色信号を作成する第２の色補正を行う色補正手段と、
前記所定の色成分を含んでいる色信号について前記色補正手段による色補正を行い、前記第１の色信号と前記第２の色信号が、前記所定領域の水平方向及び／又は垂直方向に隣接する所定の複数の画素単位毎に、空間的に交互に表示されるように制御を行う制御手段と、
前記制御手段に基づいて、前記第１の色信号、前記第２の色信号、又は前記色補正がされていない色信号を前記画素に表示する表示手段とを備えた、表示装置。
【請求項１５】
前記所定の複数の画素単位毎とは、２画素単位毎である、請求項１４記載の表示装置。
【請求項１６】
前記制御手段が前記第１の色信号と前記第２の色信号が、前記所定領域の水平方向に隣接する所定の複数の画素単位毎に、空間的に交互に表示されるように制御を行う場合、
前記制御手段は、前記所定領域の画素毎の表示タイミングを決定するためのドットクロック信号の前記所定の複数毎に、前記第１の色信号と前記第２の色信号とを切り替えて選択する、請求項１４記載の表示装置。
【請求項１７】
前記制御手段が前記第１の色信号と前記第２の色信号が、前記所定領域の垂直方向に隣接する所定の複数の画素単位毎に、空間的に交互に表示されるように制御を行う場合、
前記制御手段は、前記所定領域の所定の複数の水平期間毎に、前記第１の色信号と前記第２の色信号とを切り替えて選択する、請求項１４記載の表示装置。
【請求項１８】
前記制御手段は、前記所定領域の画素に前記第１の色信号と前記第２の色信号が時間的に交互に表示されるように制御する、請求項１４記載の表示装置。
【請求項１９】
前記制御手段は、前記色成分を含んでいない色信号については、前記色補正を行わずに表示されるように制御を行い、
仮に前記所定領域の画素に表示される色信号が全て前記所定の色成分を含んでいるとした状態で、空間的に交互に表示されるように制御を行うことである、請求項１４記載の表示装置。
【請求項２０】
前記所定の色成分とは、黄色、マジェンダ色、又はシアン色である、請求項１４記載の表示装置。
【請求項２１】
前記３原色とは、赤色、緑色、及び青色である、請求項１４記載の表示装置。
【請求項２２】
前記色信号は、ＲＧＢ信号である、請求項１４記載の表示装置。
【請求項２３】
前記所定の色成分が黄色である場合、前記色補正手段は、前記画素に対応する前記色信号に黄色の成分が存在する場合、前記色信号のＢ信号の値を減少させることにより前記第１の色補正を行い、前記色信号のＢ信号の値を増加させることによって前記第２の色補正を行う、請求項２２記載の表示装置。
【請求項２４】
一つの画素が３原色に白色を加えた４色の色で表示可能であり、前記４色の混合比に対応する色信号が入力され、表示される表示装置を用いた表示方法であって、
所定領域の各画素に対応する各色信号に所定の色成分が含まれているか否かを検出する色検出ステップと、
前記色信号の彩度を増加させ、前記１の色信号を作成する第１の色補正と、前記色信号のうち前記３原色の１色の信号の値を増加させ、第２の色信号を作成する第２の色補正を行う色補正ステップと、
前記所定の色成分を含んでいる色信号について前記色補正を行い、前記第１の色信号と前記第２の色信号が、前記所定領域の水平方向及び／又は垂直方向に隣接する所定の複数の画素単位毎に、空間的に交互に表示されるように制御を行う制御ステップと、
前記制御に基づいて、前記第１の色信号、前記第２の色信号、前記色補正がなされていない色信号を前記画素に表示する表示ステップとを備えた、表示方法。
【請求項２５】
請求項２４記載の表示方法の、所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定の色成分を含んでいる色信号について前記色補正を行い、前記第１の色信号と前記第２の色信号が、前記所定領域の水平方向及び／又は垂直方向に隣接する所定の複数の画素単位毎に、空間的に交互に表示されるように制御を行う制御ステップとをコンピュータに実行させるためのプログラム。
【請求項２６】
請求項２５記載のプログラムを記録した記録媒体であって、コンピュータで処理可能な記録媒体。
【請求項２７】
１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記色信号の彩度を増加させ、第１の色信号を作成する第１の色補正と、前記色信号のうち前記３原色の１色の信号の値を増加させ、第２の色信号を作成する第２の色補正を行う色補正手段と、
前記所定領域の画素に表示される複数の色信号が所定の条件を満たしているか否かを判定する判定手段と、
前記所定の条件を満たさない場合、前記所定の色成分を含んでいる色信号について前記色補正手段による色補正を行う制御手段と、
前記制御手段に基づいて、前記第１の色信号、前記第２の色信号、又は前記色補正がされていない色信号を前記所定領域の画素に表示する表示手段とを備えた、表示装置。
【請求項２８】
前記所定の条件とは、前記所定の色成分を含んでいる色信号が空間的に２つ以上隣接して表示されない条件である、請求項２７記載の表示装置。
【請求項２９】
前記所定の条件とは、
前記色成分を含んでいない色信号については前記色補正を行わず表示し、前記色成分を含んでいる色信号については、仮に前記所定領域の画素に表示される色信号が全て所定の色成分を含んでいるとした状態で、前記第１の色信号と前記第２の色信号を空間的に交互に表示した場合に、前記第１の色信号が表示される面積と、前記第２の色信号が表示される面積のいずれか一方が、他方に比べ５％以上多く存在する条件である、請求項２７記載の表示装置。
【請求項３０】
前記所定の条件とは、
前記色成分を含んでいない色信号については前記色補正を行わず表示し、前記色成分を含んでいる色信号については、仮に前記所定領域の画素に表示される色信号が全て所定の色成分を含んでいるとした状態で、前記第１の色信号と前記第２の色信号を空間的に交互に表示した場合に、前記色補正がされていない色信号を除いて、前記第１の色信号又は前記第２の色信号のいずれか一方だけで表示される条件である、請求項２７記載の表示装置。
【請求項３１】
前記所定の条件を満たさない場合、
前記制御手段は、前記所定領域に前記第１の色信号と前記第２の色信号が、画素単位毎、又は複数画素単位毎に空間的に交互に表示されるように制御する、請求項２８記載の表示装置。
【請求項３２】
前記所定の条件を満たさない場合、
前記制御手段は、仮に前記所定領域の画素に表示される色信号が全て所定の色成分を含んでいるとした状態で、前記所定領域に前記第１の色信号と前記第２の色信号が画素単位毎に空間的に交互に表示されるように制御する、請求項２９又は３０記載の表示装置。
【請求項３３】
前記所定の条件を満たす場合、
前記制御手段は、前記色成分を含んでいない色信号については前記色補正を行わず、前記色成分を含んでいる色信号については、仮に前記所定領域の画素に表示される色信号が全て所定の色成分を含んでいるとした状態で、前記所定領域に前記第１の色信号と前記第２の色信号が複数画素単位毎に空間的に交互に表示されるように制御する、請求項３２記載の表示装置。
【請求項３４】
前記制御手段は、
画素単位毎又は複数画素単位毎に前記第１の色信号と前記第２の色信号が交互に表示されるような切替信号を発生する切替信号発生手段を有し、
空間的に交互に表示されるように制御するとは、前記第１の色信号と前記第２の色信号を、前記切替信号に基づいて交互に選択することである、請求項３１記載の表示装置。
【請求項３５】
前記制御手段は、
画素単位毎に前記第１の色信号と前記第２の色信号が交互に表示されるような切替信号を発生する切替信号発生手段を有し、
空間的に交互に表示されるように制御するとは、仮に前記所定領域の画素に表示される色信号が全て所定の色成分を含んでいるとした状態で、前記第１の色信号と前記第２の色信号を、前記切替信号に基づいて交互に選択することである、請求項３２記載の表示装置。
【請求項３６】
前記制御手段は、
前記所定領域の画素に、画素単位毎に前記第１の色信号と前記第２の色信号が交互に表示されるような第１の切替信号を発生する第１の切替信号発生手段と、
前記所定領域の画素に、複数画素単位毎に前記第１の色信号と前記第２の色信号が交互に表示されるような第２の切替信号を発生する第２の切替信号発生手段と、
前記所定の条件を満たさない場合には、前記第１の切替信号を選択し、前記所定の条件を満たしている場合には、前記第２の切替信号を選択する切替信号選択手段とを有し、
空間的に交互に表示されるように制御するとは、仮に前記所定領域の画素に表示される色信号が全て所定の色成分を含んでいるとした状態で、前記第１の切替信号又は前記第２の切替信号に基づいて、前記第１の色信号と前記第２の色信号を交互に選択することである、請求項３３記載の表示装置。
【請求項３７】
前記切替信号は、前記表示手段が前記画素に表示するタイミングを決定する信号を利用した信号である、請求項３４又は３５記載の表示装置。
【請求項３８】
前記第１の切替信号及び前記第２の切替信号は、前記表示手段が前記画素に表示するタイミングを決定する信号を利用した信号である、請求項３６記載の表示装置。
【請求項３９】
前記制御手段は、前記所定領域の画素に前記第１の色信号と前記第２の色信号が時間的に交互に表示されるように制御する、請求項２７記載の表示装置。
【請求項４０】
前記所定領域の周囲の色は白色である、請求項２７記載の表示装置。
【請求項４１】
前記所定の色成分とは、黄色、マジェンダ色、又はシアン色である、請求項２７記載の表示装置。
【請求項４２】
前記３原色とは、赤色、緑色、及び青色である、請求項２７記載の表示装置。
【請求項４３】
前記色信号は、ＲＧＢ信号である、請求項２７記載の表示装置。
【請求項４４】
前記所定の色成分は黄色であり、
前記色補正手段は、前記色信号のＢ信号の値を減少させることにより前記第１の色補正を行い、前記色信号のＢ信号の値を増加させることにより前記第２の色補正を行う、請求項４３記載の表示装置。
【請求項４５】
１つの画素が３原色に白色を加えた４色で表示可能であり、前記４色の混合比に対応する色信号が入力され、表示される表示装置を用いた表示方法であって、
所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定領域の画素に表示される複数の色信号が所定の条件を満たしているか否かを判定する判定ステップと、
前記所定の条件を満たさない場合、前記所定の色成分を含んでいる色信号について前記色補正を行うように制御する制御ステップと、
前記制御に基づいて、前記第１の色信号、前記第２の色信号、又は前記色補正がされていない色信号を前記所定領域の画素に表示する表示ステップとを備えた、表示方法。
【請求項４６】
請求項４５記載の表示方法の、
前記所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定領域の画素に表示される複数の色信号が所定の条件を満たしているか否かを判定する判定ステップと、
前記所定の条件を満たしていない場合、前記所定の色成分を含んでいる色信号について前記色補正を行うように制御する制御ステップとをコンピュータに実行させるためのプログラム。
【請求項４７】
請求項４６記載のプログラムを記録した記録媒体であって、コンピュータで処理可能な記録媒体。
【請求項４８】
１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記所定領域の画素に表示される複数の色信号が所定の条件を満たしているか否かを判定する判定手段と、
前記色信号の前記所定の色成分の彩度を増加させ、第１の色信号を作成する第１の色補正と、前記色信号のうち前記３原色の１色の信号の値を増加させ、第２の色信号を作成する第２の色補正を行う色補正手段と、
仮に前記所定領域の画素に表示される色信号が全て前記所定の色成分を含んでいるとした状態で、１つ又は複数の画素毎に前記第１の色信号と前記第２の色信号が交互に表示されるような切替信号を発生する切替信号発生手段と、
仮に、前記所定領域の画素に表示される色信号が全て所定の色成分を含んでいるとした状態で、前記第１の色信号と前記第２の色信号を、前記切替信号に基づいて交互に選択する第１の選択手段と、
前記所定の色成分を含み、且つ前記所定の条件を満たしていない場合に、前記第１の色信号又は前記第２の色信号を選択し、それ以外の場合に、前記色補正がされていない色信号を選択する第２の選択手段と、
前記第１の選択手段及び前記第２の選択手段により選択された前記第１の色信号、前記第２の色信号、又は前記色補正がされていない色信号を前記所定領域の画素に表示する表示手段とを備えた、表示装置。
【請求項４９】
１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記所定領域の画素に表示される複数の色信号が所定の条件を満たしているか否かを判定する判定手段と、
前記色信号の前記所定の色成分の彩度を増加させ、第１の色信号を作成する第１の色補正と、前記色信号のうち前記３原色の１色の信号の値を増加させ、第２の色信号を作成する第２の色補正を行う色補正手段と、
仮に前記所定領域の画素に表示される色信号が全て前記所定の色成分を含んでいるとした状態で、画素単位毎に前記第１の色信号と前記第２の色信号が交互に表示されるような第１の切替信号を発生する第１の切替信号発生手段と、
仮に前記所定領域の画素に表示される色信号が全て前記所定の色成分を含んでいるとした状態で、複数画素毎に前記第１の色信号と前記第２の色信号が交互に表示されるような第２の切替信号を発生する第２の切替信号発生手段と、
前記所定の条件を満たさない場合に、前記第１の切替信号を選択し、前記所定の条件を満たしている場合に、前記第２の切替信号を選択する切替信号選択手段と、
前記切替信号選択手段により選択された前記第１の切替信号又は前記第２の切替信号に基づいて、前記第１の色信号又は前記第２の色信号を選択する第１の選択手段と、
前記所定の色成分を含んでいる場合に、前記第１の選択手段により選択された前記第１の色信号又は前記第２の色信号を選択し、前記所定の色成分を含んでいない場合に、前記色補正がされていない色信号を選択する第２の選択手段と、
前記第１の選択手段及び前記第２の選択手段により選択された前記第１の色信号、前記第２の色信号、又は前記色補正がされていない色信号を前記所定領域の画素に表示する表示手段とを備えた、表示装置。
【発明の詳細な説明】
【技術分野】
【０００１】
本発明は、一つの画素が３原色に白色を加えた４色の色で表示可能であり、前記４色の色の混合比に対応する色信号を入力し表示する表示装置、表示方法、プログラム、及び記録媒体に関するものである。
【背景技術】
【０００２】
カラー表示用のデバイスとしてＣＲＴ、ＬＣＤ（Ｌｉｑｕｉｄ  Ｃｒｙｓｔａｌ  Ｄｅｖｉｃｅ）、ＤＬＰ（Ｄｉｇｉｔａｌ  Ｌｉｇｈｔ  Ｐｒｏｃｅｓｓｉｎｇ  Ｄｅｖｉｃｅ）、ＰＤＰ等が使用されており、一般的な基本色としてはＲＧＢ（赤緑青）３原色が用いられている。これに対して、ＬＣＤディスプレイ、ＤＬＰプロジェクタの一部では明るさを強調するため白色も追加されている。
【０００３】
すなわち、一つの画素がＲ（ｒｅｄ）、Ｇ（ｇｒｅｅｎ）、Ｂ（ｂｌｕｅ）、Ｗ（ｗｈｉｔｅ）の４色の色を表示可能であり、入力されてくるＲＧＢ信号をこれら４色の色を混合して表示する表示装置が用いられている（例えば、特許文献１、及び非特許文献１参照）。このように、一つの画素をＲＧＢＷの４色の色で表示する表示装置は、例えば直視型の液晶表示装置や、ＤＬＰプロジェクタ等で用いられている。例えばカラーホイールを使用したフィールド順次式の１チップＤＬＰデータプロジェクタでは、ＲＧＢＷの４色カラーホイールが用いられている。また、液晶表示装置であれば、１画素につきＲＧＢＷの４色の色を表示することが出来る４つの表示素子が用いられている。
【０００４】
ＲＧＢのみならず、Ｗをも使用してそれぞれの画素を表示することにより、ＲＧＢのみで表示する場合に比べて、明るく表示することが出来、コントラストを向上させることが出来、また、同じ明るさであればランプの消費電力を削減することが出来る。
【０００５】
図２８に、このような従来の表示装置５１の構成を示す。
【０００６】
表示装置５１は、白成分検出手段７、白表示素子駆動手段８、白表示部９、ＲＧＢ表示素子駆動手段１０、及びＲＧＢ表示部１１から構成される。
【０００７】
白成分検出手段７は、入力されてくるＲＧＢ信号から白成分を検出する手段である。
【０００８】
白表示素子駆動手段８は、白成分検出手段７で検出された白成分を表示するために白表示部９を駆動する手段である。
【０００９】
白表示部９は、白表示素子駆動手段８に駆動されることによって白成分を表示する手段である。
【００１０】
ＲＧＢ表示素子駆動手段１０は、入力されてくるＲＧＢ信号を表示するためにＲＧＢ表示部１１を駆動する手段である。
【００１１】
ＲＧＢ表示部１１は、ＲＧＢ表示素子駆動手段１０に駆動されることによってＲＧＢ成分を表示する手段である。
【００１２】
図２９に、表示装置５１が液晶表示装置である場合の表示面構成を示す。５２は、１画素を構成する基本ユニットであり、後方から露光される白色光の透過の程度を独立に制御可能な４個の液晶セルからなる。そして、これら４個の液晶セルに対して、Ｒ、Ｇ、Ｂ、Ｗの４色のフィルタがそれぞれ配置されている。このように、表示装置５１が液晶表示装置である場合には、ＲＧＢ表示部１１、及び白表示部９の表示面は、図２９のような構成になっている。
【００１３】
また、表示装置５１がＤＬＰプロジェクタである場合には、表示面の一つの画素には、カラーホイールと同期して、ＲＧＢＷの４色が時間的に順に切り替えられて表示される構成を有する。すなわち、表示装置５１がＤＬＰプロジェクタである場合には、ＲＧＢ表示部１１、及び白表示部９は、カラーホイールや、ＤＭＤ（Ｄｉｇｉｔａｌ  Ｍｉｃｒｏｍｉｒｒｏｒ  Ｄｅｖｉｃｅ）などから構成される。
【００１４】
次に、このような従来の表示装置５１の動作を説明する。
【００１５】
パーソナルコンピュータやＤＶＤ装置やテレビ受信装置など表示装置５１に映像を表示する装置から入力されてくるＲＧＢ信号は、ＲＧＢ表示素子駆動手段１０と白成分検出手段７とに入力される。
【００１６】
ＲＧＢ表示素子駆動手段１０は、入力されてくるＲＧＢ信号を表示するためにＲＧＢ表示部１１の駆動信号を生成し、その駆動信号により、ＲＧＢ表示部１１を駆動する。
【００１７】
一方、白成分検出手段７は、入力されてくるＲＧＢ信号から白成分を検出し、白成分を白表示素子駆動手段８に出力する。白表示素子駆動手段８は、白成分検出手段７からの白成分を表示するために白表示部９の駆動信号を生成し、その駆動信号により、白表示部９を駆動する。
【００１８】
ＲＧＢ表示部１１は、ＲＧＢ表示素子駆動手段１０に駆動されることにより、Ｒ、Ｇ、Ｂの３色を表示する。一方、白表示部９は、白表示素子駆動手段８に駆動されることにより、Ｗの１色を表示する。
【００１９】
表示装置５１では、ＲＧＢ表示部１１による白色に、白表示部９による白色が加算されるため、明るさはＲＧＢ表示部１１だけの場合に比べ約２倍明るくなる。
【００２０】
このように、表示装置５１は、ＲＧＢ３原色と白色との４色によって、明るさやコントラストを向上させた、フルカラー画像の表示を実現することが出来る。
【特許文献１】特開平５−２４１５５１号公報
【非特許文献１】Ａ．クンツマン（Ａ．Ｋｕｎｚｍａｎ），Ｇ．ペティット（Ｇ．Ｐｅｔｔｉｔｔ），“色順次ＤＬＰのための白色強調（Ｗｈｉｔｅ  Ｅｎｈａｎｃｅｍｅｎｔ  ｆｏｒ  Ｃｏｌｏｒ−Ｓｅｑｕｅｎｔｉａｌ  ＤＬＰ）”，ＳＩＤ国際シンポジウム技術報告ダイジェスト（ＳＩＤ  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  Ｐａｐｅｒｓ），アメリカ合衆国，ＳＩＤ（Ｓｏｃｉｅｔｙ  ｆｏｒ  Ｉｎｆｏｒｍａｔｉｏｎ  Ｄｉｓｐｌａｙ），１９９８年５月，第２９巻，ｐｐ．１２１−１２４
【発明の開示】
【発明が解決しようとする課題】
【００２１】
しかしながら、表示装置５１では、ＲＧＢ表示部１１だけの場合に比べ、白表示部９をも用いることによって、ＲＧＢの色と白色との輝度比が２倍程度大きくなる。その結果、通常の色と白色との明るさの対比が大きくなり、脳が記憶している明るさの感覚からずれてきて、色の見え方に違和感を感じることがある。つまり、白以外の色の映像部分の明るさは、白の部分の明るさに比べて相対的に暗くなる。この結果、色によっては、白の部分との明るさの差が大きいため、見た目の色が異なって見え違和感が生じる。
【００２２】
特に明るい黄色と白との輝度比が大きくなるため、黄色を暗く感じ黄色の記憶色との差が大きくなり違和感が大きくなる。すなわち、図３０に示すように、表示画面に明るい黄色であるパステル黄の画素１４と白色である白の画素１３とが表示されている場合、白色との対比により明るい黄色を暗く感じ、明るい黄色が緑色がかって見えることがある。このような違和感は、明るいシアン色や明るいマゼンダ色でも同様に起こる。
【００２３】
すなわち、一つの画素が３原色に白色を加えた４色の色で表示可能であり、その４色の色の混合比に対応する色信号を入力し表示する表示装置では、通常の色と白色との明るさとの対比が大きくなると、脳が記憶している明るさの感覚からずれていき通常の色の見え方に違和感を感じることがあるという課題がある。
【００２４】
本発明は、上記課題を考慮し、色の見え方の違和感が減少する表示装置、表示方法、プログラム、及び記録媒体を提供することを目的とするものである。
【課題を解決するための手段】
【００２５】
上述した課題を解決するために、第１の本発明は、一つの画素が３原色に白色を加えた４色の色で表示可能であり、前記４色の色の混合比に対応する色信号を入力し表示する表示装置において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記第１の色補正により得られた第１の色信号及び前記第２の色補正により得られた第２の色信号のいずれかを時間的に切り替えて選択する選択手段と、
その選択された方の色信号を前記画素に表示する表示手段とを備えた、表示装置である。
また、第２の本発明は、一つの画素が３原色に白色を加えた４色の色で表示可能であり、前記４色の色の混合比に対応する色信号を入力し表示する表示装置において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成手段と、
その少なくとも彩度の高低がつけられた前記領域を表示する表示手段とを備えた、表示装置である。
【００２７】
また、第３の本発明は、前記所定の色とは、黄色、またはマジェンダ色、またはシアン色である、第１または第２の本発明の表示装置である。
【００２８】
また、第４の本発明は、前記３原色とは、赤色、緑色、及び青色である、第１または第２の本発明の表示装置である。
【００２９】
また、第５の本発明は、前記色信号は、ＲＧＢ信号である第１または第２の本発明の表示装置である。
【００３０】
また、第６の本発明は、前記所定の色が黄色である場合、前記色補正手段は、前記画素に対応する前記色信号に黄色の成分が存在する場合、その色信号のＢ信号の値を減少させることによって前記第１の色補正を行い、その色信号のＢ信号の値を増加させることによって前記第２の色補正を行う、第５の本発明の表示装置である。
【００３１】
また、第７の本発明は、前記選択手段は、前記表示手段が前記画素に表示するタイミングを決定する信号を利用して、前記第１の色信号及び前記第２の色信号のいずれかを時間的に切り替えて選択する、第１の本発明の表示装置である。
また、第８の本発明は、前記高低生成手段は、前記表示手段が前記画素に表示するタイミングを決定する信号を利用して、前記第１の色信号及び前記第２の色信号の選択を行う、第２の本発明の表示装置である。
【００３３】
また、第９の本発明は、一つの画素が３原色に白色を加えた４色の色で表示可能であり、前記４色の色の混合比に対応する色信号を入力し表示する表示方法において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正ステップと、
前記第１の色補正により得られた第１の色信号及び前記第２の色補正により得られた第２の色信号のいずれかを時間的に切り替えて選択する選択ステップと、
その選択された方の色信号を前記画素に表示する表示ステップとを備えた、表示方法である。
また、第１０の本発明は、一つの画素が３原色に白色を加えた４色の色で表示可能であり、前記４色の色の混合比に対応する色信号を入力し表示する表示方法において、
前記画素に対応する前記色信号に所定の色の成分が存在する場合、その色信号の彩度を増加させる第１の色補正と、その色信号のうち前記３原色の１色の信号の値を増加させる第２の色補正とを行う色補正ステップと、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成ステップと、
その少なくとも彩度の高低がつけられた前記領域を表示する表示ステップとを備えた、表示方法である。
【００３５】
また、第１１の本発明は、第１の本発明の表示装置の、前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記第１の色補正により得られた第１の色信号及び前記第２の色補正により得られた第２の色信号のいずれかを時間的に切り替えて選択する選択手段としてコンピュータを機能させるためのプログラムである。
また、第１２の本発明は、第２の本発明の表示装置の、前記画素に対応する前記色信号に所定の色の成分が存在する場合、その色信号の彩度を増加させる第１の色補正と、その色信号のうち前記３原色の１色の信号の値を増加させる第２の色補正とを行う色補正手段と、
前記所定の色の成分を有する画素が隣接して複数個存在する領域がある場合、前記第１の色補正により得られた第１の色信号及び前記第２の色補正により得られた第２の色信号を、一つまたは隣接する複数の画素毎に交互に選択するための所定のパターンに従って、前記領域の画素毎に前記第１の色信号及び前記第２の色信号のいずれかを選択することによって、前記領域に少なくとも彩度の高低をつける高低生成手段としてコンピュータを機能させるためのプログラムである。
【００３７】
また、第１３の本発明は、第１１または第１２の本発明のプログラムを記録した記録媒体であって、コンピュータにより処理可能な記録媒体である。
【００３８】
また、第１４の本発明は、一つの画素が３原色に白色を加えた４色の色で表示可能であり、前記４色の混合比に対応する色信号が入力され、表示される表示装置であって、
所定領域の各画素に対応する各色信号に所定の色成分が含まれているか否かを検出する色検出手段と、
前記色信号の彩度を増加させ、第１の色信号を作成する第１の色補正と、前記色信号のうち前記３原色の１色の信号の値を増加させ、第２の色信号を作成する第２の色補正を行う色補正手段と、
前記所定の色成分を含んでいる色信号について前記色補正手段による色補正を行い、前記第１の色信号と前記第２の色信号が、前記所定領域の水平方向及び／又は垂直方向に隣接する所定の複数の画素単位毎に、空間的に交互に表示されるように制御を行う制御手段と、
前記制御手段に基づいて、前記第１の色信号、前記第２の色信号、又は前記色補正がされていない色信号を前記画素に表示する表示手段とを備えた、表示装置である。
【００３９】
また、第１５の本発明は、前記所定の複数の画素単位毎とは、２画素単位毎である、第１４の本発明の表示装置である。
【００４０】
また、第１６の本発明は、前記制御手段が前記第１の色信号と前記第２の色信号が、前記所定領域の水平方向に隣接する所定の複数の画素単位毎に、空間的に交互に表示されるように制御を行う場合、
前記制御手段は、前記所定領域の画素毎の表示タイミングを決定するためのドットクロック信号の前記所定の複数毎に、前記第１の色信号と前記第２の色信号とを切り替えて選択する、第１４の本発明の表示装置である。
【００４１】
また、第１７の本発明は、前記制御手段が前記第１の色信号と前記第２の色信号が、前記所定領域の垂直方向に隣接する所定の複数の画素単位毎に、空間的に交互に表示されるように制御を行う場合、
前記制御手段は、前記所定領域の所定の複数の水平期間毎に、前記第１の色信号と前記第２の色信号とを切り替えて選択する、第１４の本発明の表示装置である。
【００４２】
また、第１８の本発明は、前記制御手段は、前記所定領域の画素に前記第１の色信号と前記第２の色信号が時間的に交互に表示されるように制御する、第１４の本発明の表示装置である。
【００４３】
また、第１９の本発明は、前記制御手段は、前記色成分を含んでいない色信号については、前記色補正を行わずに表示されるように制御を行い、
仮に前記所定領域の画素に表示される色信号が全て前記所定の色成分を含んでいるとした状態で、空間的に交互に表示されるように制御を行うことである、第１４の本発明の表示装置である。
【００４４】
また、第２０の本発明は、前記所定の色成分とは、黄色、マジェンダ色、又はシアン色である、第１４の本発明の表示装置である。
【００４５】
また、第２１の本発明は、前記３原色とは、赤色、緑色、及び青色である、第１４の本発明の表示装置である。
【００４６】
また、第２２の本発明は、前記色信号は、ＲＧＢ信号である、第１４の本発明の表示装置である。
【００４７】
また、第２３の本発明は、前記所定の色成分が黄色である場合、前記色補正手段は、前記画素に対応する前記色信号に黄色の成分が存在する場合、前記色信号のＢ信号の値を減少させることにより前記第１の色補正を行い、前記色信号のＢ信号の値を増加させることによって前記第２の色補正を行う、第２２の本発明の表示装置である。
【００４８】
また、第２４の本発明は、一つの画素が３原色に白色を加えた４色の色で表示可能であり、前記４色の混合比に対応する色信号が入力され、表示される表示装置を用いた表示方法であって、
所定領域の各画素に対応する各色信号に所定の色成分が含まれているか否かを検出する色検出ステップと、
前記色信号の彩度を増加させ、前記１の色信号を作成する第１の色補正と、前記色信号のうち前記３原色の１色の信号の値を増加させ、第２の色信号を作成する第２の色補正を行う色補正ステップと、
前記所定の色成分を含んでいる色信号について前記色補正を行い、前記第１の色信号と前記第２の色信号が、前記所定領域の水平方向及び／又は垂直方向に隣接する所定の複数の画素単位毎に、空間的に交互に表示されるように制御を行う制御ステップと、
前記制御に基づいて、前記第１の色信号、前記第２の色信号、前記色補正がなされていない色信号を前記画素に表示する表示ステップとを備えた、表示方法である。
【００４９】
また、第２５の本発明は、第２４の本発明の表示方法の、所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定の色成分を含んでいる色信号について前記色補正を行い、前記第１の色信号と前記第２の色信号が、前記所定領域の水平方向及び／又は垂直方向に隣接する所定の複数の画素単位毎に、空間的に交互に表示されるように制御を行う制御ステップとをコンピュータに実行させるためのプログラムである。
【００５０】
また、第２６の本発明は、第２５の本発明のプログラムを記録した記録媒体であって、コンピュータで処理可能な記録媒体である。
【００５１】
また、第２７の本発明は、１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記色信号の彩度を増加させ、第１の色信号を作成する第１の色補正と、前記色信号のうち前記３原色の１色の信号の値を増加させ、第２の色信号を作成する第２の色補正を行う色補正手段と、
前記所定領域の画素に表示される複数の色信号が所定の条件を満たしているか否かを判定する判定手段と、
前記所定の条件を満たさない場合、前記所定の色成分を含んでいる色信号について前記色補正手段による色補正を行う制御手段と、
前記制御手段に基づいて、前記第１の色信号、前記第２の色信号、又は前記色補正がされていない色信号を前記所定領域の画素に表示する表示手段とを備えた、表示装置である。
【００５２】
また、第２８の本発明は、前記所定の条件とは、前記所定の色成分を含んでいる色信号が空間的に２つ以上隣接して表示されない条件である、第２７の本発明の表示装置である。
【００５３】
また、第２９の本発明は、前記所定の条件とは、
前記色成分を含んでいない色信号については前記色補正を行わず表示し、前記色成分を含んでいる色信号については、仮に前記所定領域の画素に表示される色信号が全て所定の色成分を含んでいるとした状態で、前記第１の色信号と前記第２の色信号を空間的に交互に表示した場合に、前記第１の色信号が表示される面積と、前記第２の色信号が表示される面積のいずれか一方が、他方に比べ５％以上多く存在する条件である、第２７の本発明の表示装置である。
【００５４】
また、第３０の本発明は、前記所定の条件とは、
前記色成分を含んでいない色信号については前記色補正を行わず表示し、前記色成分を含んでいる色信号については、仮に前記所定領域の画素に表示される色信号が全て所定の色成分を含んでいるとした状態で、前記第１の色信号と前記第２の色信号を空間的に交互に表示した場合に、前記色補正がされていない色信号を除いて、前記第１の色信号又は前記第２の色信号のいずれか一方だけで表示される条件である、第２７の本発明の表示装置である。
【００５５】
また、第３１の本発明は、前記所定の条件を満たさない場合、
前記制御手段は、前記所定領域に前記第１の色信号と前記第２の色信号が、画素単位毎、又は複数画素単位毎に空間的に交互に表示されるように制御する、第２８の本発明の表示装置である。
【００５６】
また、第３２の本発明は、前記所定の条件を満たさない場合、
前記制御手段は、仮に前記所定領域の画素に表示される色信号が全て所定の色成分を含んでいるとした状態で、前記所定領域に前記第１の色信号と前記第２の色信号が画素単位毎に空間的に交互に表示されるように制御する、第２９又は第３０の本発明の表示装置である。
【００５７】
また、第３３の本発明は、前記所定の条件を満たす場合、
前記制御手段は、前記色成分を含んでいない色信号については前記色補正を行わず、前記色成分を含んでいる色信号については、仮に前記所定領域の画素に表示される色信号が全て所定の色成分を含んでいるとした状態で、前記所定領域に前記第１の色信号と前記第２の色信号が複数画素単位毎に空間的に交互に表示されるように制御する、第３２の本発明の表示装置である。
【００５８】
また、第３４の本発明は、前記制御手段は、
画素単位毎又は複数画素単位毎に前記第１の色信号と前記第２の色信号が交互に表示されるような切替信号を発生する切替信号発生手段を有し、
空間的に交互に表示されるように制御するとは、前記第１の色信号と前記第２の色信号を、前記切替信号に基づいて交互に選択することである、第３１の本発明の表示装置である。
【００５９】
また、第３５の本発明は、前記制御手段は、
画素単位毎に前記第１の色信号と前記第２の色信号が交互に表示されるような切替信号を発生する切替信号発生手段を有し、
空間的に交互に表示されるように制御するとは、仮に前記所定領域の画素に表示される色信号が全て所定の色成分を含んでいるとした状態で、前記第１の色信号と前記第２の色信号を、前記切替信号に基づいて交互に選択することである、第３２の本発明の表示装置である。
【００６０】
また、第３６の本発明は、前記制御手段は、
前記所定領域の画素に、画素単位毎に前記第１の色信号と前記第２の色信号が交互に表示されるような第１の切替信号を発生する第１の切替信号発生手段と、
前記所定領域の画素に、複数画素単位毎に前記第１の色信号と前記第２の色信号が交互に表示されるような第２の切替信号を発生する第２の切替信号発生手段と、
前記所定の条件を満たさない場合には、前記第１の切替信号を選択し、前記所定の条件を満たしている場合には、前記第２の切替信号を選択する切替信号選択手段とを有し、
空間的に交互に表示されるように制御するとは、仮に前記所定領域の画素に表示される色信号が全て所定の色成分を含んでいるとした状態で、前記第１の切替信号又は前記第２の切替信号に基づいて、前記第１の色信号と前記第２の色信号を交互に選択することである、第３３の本発明の表示装置である。
【００６１】
また、第３７の本発明は、前記切替信号は、前記表示手段が前記画素に表示するタイミングを決定する信号を利用した信号である、第３４又は第３５の本発明の表示装置である。
【００６２】
また、第３８の本発明は、前記第１の切替信号及び前記第２の切替信号は、前記表示手段が前記画素に表示するタイミングを決定する信号を利用した信号である、第３６の本発明の表示装置である。
【００６３】
また、第３９の本発明は、前記制御手段は、前記所定領域の画素に前記第１の色信号と前記第２の色信号が時間的に交互に表示されるように制御する、第２７の本発明の表示装置である。
【００６４】
また、第４０の本発明は、前記所定領域の周囲の色は白色である、第２７の本発明の表示装置である。
【００６５】
また、第４１の本発明は、前記所定の色成分とは、黄色、マジェンダ色、又はシアン色である、第２７の本発明の表示装置である。
【００６６】
また、第４２の本発明は、前記３原色とは、赤色、緑色、及び青色である、第２７の本発明の表示装置である。
【００６７】
また、第４３の本発明は、前記色信号は、ＲＧＢ信号である、第２７の本発明の表示装置である。
【００６８】
また、第４４の本発明は、前記所定の色成分は黄色であり、
前記色補正手段は、前記色信号のＢ信号の値を減少させることにより前記第１の色補正を行い、前記色信号のＢ信号の値を増加させることにより前記第２の色補正を行う、第４３の本発明の表示装置である。
【００６９】
また、第４５の本発明は、１つの画素が３原色に白色を加えた４色で表示可能であり、前記４色の混合比に対応する色信号が入力され、表示される表示装置を用いた表示方法であって、
所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定領域の画素に表示される複数の色信号が所定の条件を満たしているか否かを判定する判定ステップと、
前記所定の条件を満たさない場合、前記所定の色成分を含んでいる色信号について前記色補正を行うように制御する制御ステップと、
前記制御に基づいて、前記第１の色信号、前記第２の色信号、又は前記色補正がされていない色信号を前記所定領域の画素に表示する表示ステップとを備えた、表示方法である。
【００７０】
また、第４６の本発明は、第４５の本発明の表示方法の、
前記所定領域の各画素に対応する各色信号に所定の色成分が含まれているか否かを検出する色検出ステップと、
前記色信号の彩度を増加させ、第１の色信号を作成する第１の色補正と、前記色信号のうち前記３原色の１色の信号の値を増加させ、第２の色信号を作成する第２の色補正を行う色補正ステップと、
前記所定領域の画素に表示される複数の色信号が所定の条件を満たしているか否かを判定する判定ステップと、
前記所定の条件を満たしていない場合、前記所定の色成分を含んでいる色信号について前記色補正を行うように制御する制御ステップとをコンピュータに実行させるためのプログラムである。
【００７１】
また、第４７の本発明は、第４６の本発明のプログラムを記録した記録媒体であって、コンピュータで処理可能な記録媒体である。
【００７２】
また、第４８の本発明は、１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記所定領域の画素に表示される複数の色信号が所定の条件を満たしているか否かを判定する判定手段と、
前記色信号の前記所定の色成分の彩度を増加させ、第１の色信号を作成する第１の色補正と、前記色信号のうち前記３原色の１色の信号の値を増加させ、第２の色信号を作成する第２の色補正を行う色補正手段と、
仮に前記所定領域の画素に表示される色信号が全て前記所定の色成分を含んでいるとした状態で、１つ又は複数の画素毎に前記第１の色信号と前記第２の色信号が交互に表示されるような切替信号を発生する切替信号発生手段と、
仮に、前記所定領域の画素に表示される色信号が全て所定の色成分を含んでいるとした状態で、前記第１の色信号と前記第２の色信号を、前記切替信号に基づいて交互に選択する第１の選択手段と、
前記所定の色成分を含み、且つ前記所定の条件を満たしていない場合に、前記第１の色信号又は前記第２の色信号を選択し、それ以外の場合に、前記色補正がされていない色信号を選択する第２の選択手段と、
前記第１の選択手段及び前記第２の選択手段により選択された前記第１の色信号、前記第２の色信号、又は前記色補正がされていない色信号を前記所定領域の画素に表示する表示手段とを備えた、表示装置である。
【００７３】
また、第４９の本発明は、１つの画素が３原色に白色を加えた４色で表示可能であり、前記４色の混合比に対応する色信号が入力され、表示される表示装置であって、
所定領域の各画素に対応する各色信号に所定の色成分が含まれているか否かを検出する色検出手段と、
前記所定領域の画素に表示される複数の色信号が所定の条件を満たしているか否かを判定する判定手段と、
前記色信号の前記所定の色成分の彩度を増加させ、第１の色信号を作成する第１の色補正と、前記色信号のうち前記３原色の１色の信号の値を増加させ、第２の色信号を作成する第２の色補正を行う色補正手段と、
仮に前記所定領域の画素に表示される色信号が全て前記所定の色成分を含んでいるとした状態で、画素単位毎に前記第１の色信号と前記第２の色信号が交互に表示されるような第１の切替信号を発生する第１の切替信号発生手段と、
仮に前記所定領域の画素に表示される色信号が全て前記所定の色成分を含んでいるとした状態で、複数画素毎に前記第１の色信号と前記第２の色信号が交互に表示されるような第２の切替信号を発生する第２の切替信号発生手段と、
前記所定の条件を満たさない場合に、前記第１の切替信号を選択し、前記所定の条件を満たしている場合に、前記第２の切替信号を選択する切替信号選択手段と、
前記切替信号選択手段により選択された前記第１の切替信号又は前記第２の切替信号に基づいて、前記第１の色信号又は前記第２の色信号を選択する第１の選択手段と、
前記所定の色成分を含んでいる場合に、前記第１の選択手段により選択された前記第１の色信号又は前記第２の色信号を選択し、前記所定の色成分を含んでいない場合に、前記色補正がされていない色信号を選択する第２の選択手段と、
前記第１の選択手段及び前記第２の選択手段により選択された前記第１の色信号、前記第２の色信号、又は前記色補正がされていない色信号を前記所定領域の画素に表示する表示手段とを備えた、表示装置である。
【発明の効果】
【００７４】
本発明は、色の見え方の違和感が減少する表示装置、表示方法、プログラム、及び記録媒体を提供することが出来る。
【発明を実施するための最良の形態】
【００７５】
以下に、本発明の実施の形態を図面を参照して説明する。
【００７６】
（実施の形態１）
実施の形態１では、明るい黄色（彩度が低い黄色）すなわちパステルイエローの映像部分が白色に囲まれていたり、白色に隣接したりしていても、緑色がかって見えるなどの、見た目の色が異なって見える違和感を減少することが出来る表示装置について説明する。
【００７７】
図１に、実施の形態１の表示装置１２を示す。
【００７８】
表示装置１２は、色成分分離検出手段１、第１の信号レベル変換処理手段２、第２の信号レベル変換処理手段３、切換信号発生手段４、第１の選択手段５、第２の選択手段６、白成分検出手段７、白表示素子駆動手段８、白表示部９、ＲＧＢ表示素子駆動手段１０、及びＲＧＢ表示部１１から構成される。
【００７９】
色成分分離検出手段１は、入力されてくるＲＧＢ信号に黄色成分が含まれている場合には、その黄色成分を分離検出する手段である。
【００８０】
第１の信号レベル変換処理手段２は、入力されてくるＲＧＢ信号のうちＢ信号を入力し、そのＢ信号に対して、黄色成分の補色である青色の信号レベルを低下させる変換を行う手段である。
【００８１】
第２の信号レベル変換処理手段３は、入力されてくるＲＧＢ信号のうちＢ信号を入力し、そのＢ信号に対して、黄色成分の補色である青色の信号レベルを増加させる変換を行う手段である。
【００８２】
切換信号発生手段４は、第１の選択手段５が、第１の信号レベル変換処理手段２から出力されたＢ信号、及び第２の信号レベル変換処理手段３から出力されたＢ信号のいずれかを選択するための信号を出力する手段である。
【００８３】
第１の選択手段５は、第１の信号レベル変換処理手段２から出力されたＢ信号、及び第２の信号レベル変換処理手段３から出力されたＢ信号のいずれかを、切換信号発生手段４から出力されてくる信号に基づいて選択して出力する手段である。
【００８４】
第２の選択手段６は、色成分分離検出手段１の黄色成分の検出結果に基づいて、第１の選択手段５から出力されたＢ信号、及び表示装置１２に入力されてくるＲＧＢ信号のうちのＢ信号のいずれかを選択して出力する手段である。
【００８５】
また、白成分検出手段７、白表示素子駆動手段８、白表示部９、ＲＧＢ表示素子駆動手段１０、及びＲＧＢ表示部１１については、背景技術で説明したものと同様であるので、説明を省略する。
【００８６】
なお、本実施の形態の第１の信号レベル変換処理手段２、及び第２の信号レベル変換処理手段３は、本発明の色補正手段の例であり、本実施の形態の切換信号発生手段４、及び第１の選択手段５は本発明の選択手段の例であり、本実施の形態の切換信号発生手段４、及び第１の選択手段５は本発明の高低生成手段の例であり、本実施の形態の白成分検出手段７、白表示素子駆動手段８、白表示部９、ＲＧＢ表示素子駆動手段１０、及びＲＧＢ表示部１１は本発明の表示手段の例であり、本実施の形態のＲ（赤）色、Ｇ（緑）色、Ｂ（青）色は本発明の３原色の例であり、本実施の形態のＲＧＢ信号は本発明の色信号の例であり、本実施の形態の黄色は本発明の所定の色の例である。
【００８７】
次に、このような本実施の形態の動作を説明する。
【００８８】
パーソナルコンピュータやＤＶＤ装置やテレビ受信装置など表示装置１２に映像を表示する装置から入力されてくるＲＧＢ信号は、色成分分離検出手段１に入力される。また、その入力されてくるＲＧＢ信号のうち、Ｂ信号は、第１の信号レベル変換処理手段２、第２の信号レベル変換処理手段３、及び第２の選択手段６に入力される。また、その入力されてくるＲＧＢ信号のうちＲ信号及びＧ信号は、白成分検出手段７、及びＲＧＢ表示素子駆動手段１０に入力される。
【００８９】
色成分分離検出手段１は、入力されてくるＲＧＢ信号が黄色成分が含まれているかどうかを検出する。
【００９０】
図５に、ＲＧＢ信号の一例を示す。赤色を表すＲ信号、緑色を表すＧ信号、及び青色を表すＢ信号は、それぞれ０から２５５までの２５６通りの値を取りうる信号であり、この値が大きいほど高い輝度の色を表す。図５のＲＧＢ信号には、緑成分３１、黄色成分３２、及び白色成分３３が含まれている。
【００９１】
ＲＧＢ信号から黄色成分を検出することは、Ｒ信号の値とＧ信号の値とがともにＢ信号の値より大きい場合を検出することにより行うことが出来る。すなわち、Ｒ信号の値とＧ信号の値とがともにＢ信号の値より大きい場合にはＲＧＢ信号に黄色成分が含まれていることになる。
【００９２】
色成分分離検出手段１は、ＲＧＢ信号に黄色成分が含まれている場合には、１を出力し、ＲＧＢ信号に黄色成分が含まれていない場合には、０を出力する。そして、色成分分離検出手段１の出力は、第２の選択手段６に入力される。
【００９３】
一方、第１の信号レベル変換処理手段２は、表示装置１２に入力されたＲＧＢ信号のうちＢ信号を入力し、黄色成分の補色である青色の信号レベルを低下させる変換を行う。言い換えると、第１の信号レベル変換処理手段２は、表示装置１２に入力されたＲＧＢ信号に黄色成分が含まれている場合には、彩度を増加させる変換を行う。
【００９４】
図２（ａ）に、第１の信号レベル変換処理手段２がＢ信号に対して行う変換処理を示す。すなわち、図２（ａ）の横軸は、第１の信号レベル変換処理手段２に入力されるＲＧＢ信号のうちのＢ信号の値を示し、縦軸は、第１の信号レベル変換処理手段２によって変換処理が行われた後のＢ信号の値を示す。第１の信号レベル変換処理手段２は、図２（ａ）に示す変換処理を行うための変換テーブルを予め保持しており、その変換テーブルを用いて図２（ａ）の変換処理を行う。なお、第１の信号レベル変換処理手段２は、変換テーブルを用いて図２（ａ）に示す変換処理を行うとして説明したが、これに限らない。例えば、ハードウェアやソフトウェアによる演算処理によって図２（ａ）に示す変換処理を行うなど、変換テーブル以外の方法を用いて図２（ａ）の変換処理を行っても構わない。
【００９５】
図２（ａ）から明らかなように、第１の信号レベル変換処理手段２に入力されるＢ信号の値が所定の値より小さいときは、第１の信号レベル変換処理手段２から出力されるＢ信号の値は０になる。そして、第１の信号レベル変換処理手段２に入力されるＢ信号の値がその所定の値より大きい場合には、第１の信号レベル変換処理手段２から出力されるＢ信号の値は、０より大きい値になるが、第１の信号レベル変換処理手段２に入力されるＢ信号の値よりは小さい値になる。このように、第１の信号レベル変換処理手段２は、図２（ａ）に示すように入力されてくるＢ信号の値を変換するので、第１の信号レベル変換処理手段２から出力されるＲＧＢ信号は、入力時のＲＧＢ信号に比べて、Ｂ信号の値が小さくなる。すなわち、表示装置１２に入力されてくるＲＧＢ信号が、図５に示すように黄色成分３２を含む場合には、第１の信号レベル変換処理手段２から出力されるＢ信号と、表示装置１２に入力されてくるＲ信号とＧ信号とで新たにＲＧＢ信号を構成すると、その構成されたＲＧＢ信号は、表示装置１２に入力されてくるＲＧＢ信号に比べて彩度が増加した信号になる。
【００９６】
また、第２の信号レベル変換処理手段３は、表示装置１２に入力されたＲＧＢ信号のうちＢ信号に対して、黄色成分の補色である青色の信号レベルを増加させる変換を行う。言い換えると、第２の信号レベル変換処理手段３は、表示装置１２に入力されたＲＧＢ信号に黄色成分が含まれている場合には、白色成分を増加させる変換を行う。
【００９７】
図２（ｂ）に、第２の信号レベル変換処理手段３がＢ信号に対して行う変換処理を示す。すなわち、図２（ｂ）の横軸は、第２の信号レベル変換処理手段３に入力されるＢ信号のうちのＢ信号の値を示し、縦軸は、第２の信号レベル変換処理手段３によって変換処理が行われた後のＢ信号の値を示す。第２の信号レベル変換処理手段３は、図２（ｂ）に示す変換処理を行うための変換テーブルを予め保持しており、その変換テーブルを用いて図２（ｂ）の変換処理を行う。なお、第２の信号レベル変換処理手段３は、変換テーブルを用いて図２（ｂ）に示す変換処理を行うとして説明したが、これに限らない。例えば、ハードウェアやソフトウェアによる演算処理によって図２（ｂ）に示す変換処理を行うなど、変換テーブル以外の方法を用いて図２（ｂ）の変換処理を行っても構わない。
【００９８】
図２（ｂ）から明らかなように、第２の信号レベル変換処理手段３から出力されるＲＧＢ信号のＢ信号の値は、第２の信号レベル変換処理手段３に入力されるＲＧＢ信号のＢ信号の値より大きい値になる。このように、第２の信号レベル変換処理手段３は、図２（ｂ）に示すように入力されてくるＢ信号の値を変換するので、第２の信号レベル変換処理手段３から出力されるＢ信号は、入力時のＢ信号に比べて、Ｂ信号の値がより大きくなる。すなわち、表示装置１２に入力されてくるＲＧＢ信号が黄色成分３２を含む場合には、第２の信号レベル変換処理手段３から出力されるＢ信号を表示装置１２に入力されてくるＲ信号及びＧ信号と合成して新たにＲＧＢ信号を構成すると、その構成されたＲＧＢ信号は、表示装置１２に入力されてくるＲＧＢ信号に比べて白色成分が増加した信号になる。
【００９９】
切換信号発生手段４は、表示装置１２のＲＧＢ表示素子駆動手段１０及び白表示素子駆動手段８がＲＧＢ表示部１１及び白表示部９を駆動するタイミングを決定するためのドットクロック、水平同期信号、及び垂直同期信号を利用して、切換信号を発生して第１の選択手段５に出力する。この切換信号は１または０のいずれかの値を取る信号である。なお、切換信号発生手段４の動作については後述する。
【０１００】
第１の選択手段５は、切換信号発生手段４から出力された切換信号の値が１の場合には、第１の信号レベル変換処理手段２から出力されたＢ信号を選択して、第２の選択手段６に出力し、切換信号の値が０の場合には、第２の信号レベル変換処理手段３から出力されたＢ信号を選択して、第２の選択手段６に出力する。
【０１０１】
第２の選択手段６は、色成分分離検出手段１が出力した信号の値が１である場合、すなわち、黄色成分が含まれている場合には、第１の選択手段５から出力されたＢ信号を選択して、ＲＧＢ表示素子駆動手段１０、及び白成分検出手段７に出力する。また、第２の選択手段６は、色成分分離検出手段１が出力した信号の値が０である場合、すなわち、黄色成分が含まれていない場合には、表示装置１２に入力されたＲＧＢ信号のうちＢ信号を変換処理することなく、ＲＧＢ表示素子駆動手段１０、及び白成分検出手段７に出力する。
【０１０２】
すなわち、ＲＧＢ表示素子駆動手段１０及び白成分検出手段７には、表示装置１２に入力されてくるＲ信号及びＧ信号と、第２の選択手段６から出力されたＢ信号とが入力される。そして、白成分検出手段７及びＲＧＢ表示素子駆動手段１０は、これらのＲ信号、Ｇ信号、及びＢ信号を新たなＲＧＢ信号として処理を行う。
【０１０３】
また、白成分検出手段７、白表示素子駆動手段８、白表示部９、ＲＧＢ表示素子駆動手段１０、ＲＧＢ表示部１１の動作は背景技術で説明したものと同様である。
【０１０４】
このようにして、表示画面に映像が表示される。
【０１０５】
ところで、切換信号発生手段４が出力する切換信号は、例えば、ある画素に対して切換信号の値が１である場合には、その画素の水平方向に隣接する画素では、切換信号の値が０になり、さらに水平方向に隣接する画素では、切換信号の値が１になるような信号である。すなわち、水平方向の画素列に着目すると、切換信号は、交互に０と１とをとる。同様に垂直方向の画素列に着目すると、切換信号は、交互に０と１をとる。
【０１０６】
従って、入力されたＲＧＢ信号に黄色成分が含まれている表示画面の領域、すなわち入力されたＲＧＢ信号に黄色成分を有する画素が隣接して複数個存在する表示画面の領域は、図３の黄色の画素１５及び白の画素１６とが交番表示されることになる。すなわち、入力されたＲＧＢ信号に黄色成分を有する画素が隣接して複数個存在しない場合、すなわち、黄色成分を有する画素が一つだけ孤立して存在する場合は、このような交番表示は出来ない。従って、このような交番表示は、入力されたＲＧＢ信号に黄色成分を有する画素が隣接して複数個存在する表示画面の領域に対して行われる。ここで、黄色の画素１５は、第１の信号レベル変換処理手段２から出力されたＲＧＢ信号が表示されたものであり、彩度が増加するように変換処理されたＲＧＢ信号である。また、白の画素１６は、第２の信号レベル変換処理手段３から出力されたＲＧＢ信号が表示されたものであり、彩度が低下するように変換処理された信号である。
【０１０７】
なお、本実施の形態の入力されたＲＧＢ信号に黄色成分が含まれている表示画面の領域は、本発明の前記所定の色の成分を有する画素が隣接して複数個存在する領域の例である。
【０１０８】
ここで、入力されたＲＧＢ信号に黄色成分が含まれている表示画面の領域において、第１の信号レベル変換処理手段２の出力である値が減少されたＢ信号と、表示装置１２に入力されてくるＲ信号及びＧ信号とで構成されたＲＧＢ信号を第１のＲＧＢ信号とし、第２の信号レベル変換処理手段３の出力である値が増加されたＢ信号と、表示装置１２に入力されてくるＲ信号及びＧ信号とで構成されたＲＧＢ信号を第２のＲＧＢ信号とする。そうすると、第１のＲＧＢ信号は彩度が増加された信号であり、第２のＲＧＢ信号は白色成分が増加されたＲＧＢ信号である。このような領域では、第１のＲＧＢ信号と第２のＲＧＢ信号とが、それぞれ図３の黄色の画素１５及び白の画素１６に示すように、市松模様のパターンで表示されることになる。このように、表示装置１２は、入力されたＲＧＢ信号に黄色成分が含まれている表示画面の領域に、彩度が増加されたＲＧＢ信号と、白色成分が増加されたＲＧＢ信号とのいずれかを利用してその領域の画素毎に表示を行うことにより、その表示面の領域に彩度の高低をつける。
【０１０９】
従って、例えば明るい黄色（彩度が低い黄色）すなわちパステルイエローが、より彩度が増加された黄色の画素１５とより白色成分が増加された白の画素１６とで表示されることになる。従って、人間の目の積分効果により、人間の目には明るい黄色（彩度が低い黄色）すなわちパステルイエローが表示されていると感じられることになる。さらに、明るい黄色（彩度が低い黄色）すなわちパステルイエローを、より彩度が増加された黄色と、より白色成分が増加された黄色との交番表示で表示することによって、その映像部分の明るさを増加することが出来るので、その映像部分が白色に囲まれていたり、白色に隣接したりしていても、緑色がかって見えるなどの、見た目の色が異なって見える違和感を減少することが出来る。
【０１１０】
なお、図３では、入力されたＲＧＢ信号に黄色成分が含まれている表示画面の領域を、黄色の画素１５及び白の画素１６とを画素毎に交番表示して明るい黄色（彩度が低い黄色）すなわちパステルイエローを表したが、時間的に交番表示しても同等の効果を得ることが出来る。すなわち、ある画素が、第１の信号レベル変換処理手段２から出力されたＢ信号と表示装置１２に入力されてくるＲ信号及びＧ信号とで表示されている場合、次のフィールドまたは次のフレームを表示する際には、第２の信号レベル変換処理手段３から出力されたＢ信号と表示装置１２に入力されてくるＲ信号及びＧ信号とで表示するなどすることが出来る。すなわち、フィールド毎またはフレーム毎に第１の信号レベル変換処理手段２から出力されたＢ信号と第２の信号レベル変換処理手段３から出力されたＢ信号とを切り替えて表示するようにしても、同等の効果を得ることが出来る。このように、彩度が増加されたＲＧＢ信号と、白色成分が増加されたＲＧＢ信号とのいずれかフィールド毎やフレーム毎など時間的に切り替えて表示するようにしても、本実施の形態と同等の効果を得ることが出来る。
【０１１１】
ただし、次のフィールドを表示する際とは、インターレース方式の場合であって、奇数フィールドと偶数フィールドとによって１フレームが表示される場合に、現在のフィールドから２フィールド目のフィールドを表示する際を意味するものとする。また、フィールド毎に第１の信号レベル変換処理手段２から出力されたＢ信号と第２の信号レベル変換処理手段３から出力されたＢ信号とを切り替えて表示するとは、インターレース方式の場合であって、奇数フィールドと偶数フィールドとによって１フレームが表示される場合に、２フィールド毎に第１の信号レベル変換処理手段２から出力されたＢ信号と第２の信号レベル変換処理手段３から出力されたＢ信号とを切り替えて表示することを意味する。以下同様に、実施の形態１及び実施の形態２においては、フィールド毎に表示を切り替えるとは、インターレース方式の場合であって、奇数フィールドと偶数フィールドとによって１フレームが表示される場合に、２フィールド毎に表示を切り替えることを意味する。
【０１１２】
さて、前述したように、切換信号発生手段４について説明する。
【０１１３】
図４（ａ）に切換信号発生手段４の構成を示す。切換信号発生手段４は、分周器２０、分周器２１、１／２分周器２２、及び演算手段５３から構成される。
【０１１４】
分周器２０は、白表示素子駆動手段８やＲＧＢ表示素子駆動手段１０が、画素毎の表示のタイミングを決定するためのドットクロック信号１７を入力し、分周して、画素交番信号２３を出力する手段である。分周器２１は、白表示素子駆動手段８やＲＧＢ表示素子駆動手段１０が、１水平期間毎の表示のタイミングを決定するための水平同期信号１８を入力し、分周して、ライン交番信号２４を出力する手段である。１／２分周器２２は、白表示素子駆動手段８やＲＧＢ表示素子駆動手段１０が、１フレームまたは１フィールド毎の表示のタイミングを決定するための垂直同期信号１９を入力し、分周して、フィールド交番信号２５を出力する手段である。演算手段５３は、画素交番信号２３、ライン交番信号２４、及びフィールド交番信号２５の排他的論理和を求め、求めた排他的論理和を切換信号２６として出力する手段である。
【０１１５】
すなわち、ドットクロック信号１７は、分周器２０に入力され、分周器２０は、ドットクロック信号１７を分周し、画素交番信号２３を出力する。
【０１１６】
また、水平同期信号１８は、分周器２０及び分周器２１に入力される。分周器２０は、水平同期信号１８が入力されたタイミングで、初期状態に再設定される。また、分周器２１は、水平同期信号１８を分周して、ライン交番信号２４を出力する。
【０１１７】
また、垂直同期信号１９は、分周器２１、及び１／２分周器２２に入力される。分周器２１は、垂直同期信号１９が入力されると、初期状態に再設定される。また、１／２分周器２２は、垂直同期信号１９を１／２分周して、フィールド交番信号２５を出力する。
【０１１８】
演算手段５３は、画素交番信号２３、ライン交番信号２４、及びフィールド交番信号２５を入力し、それらの排他的論理和を求め、切換信号２６として出力する。
【０１１９】
分周器２０及び分周器２１が、ドットクロック信号１７と水平同期信号１８とをそれぞれ１／２分周する場合には、切換信号２６は、市松模様のパターンを表すものとなる。
【０１２０】
図４（ａ）の切換信号発生手段４を用いることにより、表示画面で黄色成分が含まれている領域は、第１の信号レベル変換処理手段２から出力されたＢ信号と、第２の信号レベル変換処理手段３から出力されたＢ信号とで、表示されることになる。すなわち、図４（ａ）の切換信号発生手段４を用いることにより、表示画面で黄色成分が含まれている領域は、画素毎に第１の信号レベル変換処理手段２から出力されたＢ信号と、第２の信号レベル変換処理手段３から出力されたＢ信号とが切り換えられて表示されることになる。また、特定の画素に着目すると、表示画面で黄色成分が含まれている場合は、第１の信号レベル変換処理手段２から出力されたＢ信号と、第２の信号レベル変換処理手段３から出力されたＢ信号とがフィールド毎に切り替えられて表示されることになる。
【０１２１】
また、図４（ｂ）に切換信号発生手段４の別の構成を示す。図４（ｂ）の切換信号発生手段４は、疑似乱数発生器２７、分周器２８、１／２分周器２９、及び演算手段５３から構成される。
【０１２２】
疑似乱数発生器２７は、白表示素子駆動手段８やＲＧＢ表示素子駆動手段１０が、画素毎の表示のタイミングを決定するためのドットクロック信号１７を入力し、入力したドットクロック信号１７を利用して疑似乱数を発生し、画素交番信号２３として出力する手段である。分周器２８は、白表示素子駆動手段８やＲＧＢ表示素子駆動手段１０が、１水平期間毎の表示のタイミングを決定するための水平同期信号１８を入力し、分周して、ライン交番信号２４を出力する手段である。１／２分周器２９は、白表示素子駆動手段８やＲＧＢ表示素子駆動手段１０が、１フレームまたは１フィールド毎の表示のタイミングを決定するための垂直同期信号１９を入力し、分周して、フィールド交番信号２５を出力する手段である。演算手段５３は、画素交番信号２３、ライン交番信号２４、及びフィールド交番信号２５の排他的論理和を求め、求めた排他的論理和を切換信号３０として出力する手段である。
【０１２３】
すなわち、ドットクロック信号１７は、疑似乱数発生器２７に入力され、疑似乱数発生器２７は、入力されたドットクロック信号１７を利用して、疑似乱数を発生し、発生した疑似乱数を画素交番信号２３として出力する。
【０１２４】
また、水平同期信号１８は、疑似乱数発生器２７及び分周器２８に入力される。疑似乱数発生器２７は、水平同期信号１８が入力されたタイミングで、初期状態に再設定される。また、分周器２８は、水平同期信号１８を分周して、ライン交番信号２４を出力する。
【０１２５】
また、垂直同期信号１９は、分周器２８、及び１／２分周器２９に入力される。分周器２８は、垂直同期信号１９が入力されると、初期状態に再設定される。また、１／２分周器２９は、垂直同期信号１９を１／２分周して、フィールド交番信号２５を出力する。
【０１２６】
演算手段５３は、画素交番信号２３、ライン交番信号２４、及びフィールド交番信号２５を入力し、それらの排他的論理和を求め、切換信号３０として出力する。
【０１２７】
図４（ｂ）の切換信号発生手段４を用いることにより、表示画面で黄色成分が含まれている領域は、第１の信号レベル変換処理手段２から出力されたＢ信号と、第２の信号レベル変換処理手段３から出力されたＢ信号とが、ランダムなパターンで、表示されることになる。また、特定の画素に着目すると、その画素に黄色成分が含まれている場合、第１の信号レベル変換処理手段２から出力されたＢ信号と、第２の信号レベル変換処理手段３から出力されたＢ信号とが、フィールド毎に切り替えられて表示される。図４（ｂ）の切換信号発生手段４を用いても、図４（ａ）の切換信号発生手段４を用いるのと同等の効果を得ることが出来る。
【０１２８】
なお、本実施の形態では、表示装置１２にＲＧＢ信号が入力されるとして説明したが、これに限らず、ＲＧＢ信号以外の色を表す信号が入力されても構わない。
【０１２９】
さらに、本実施の形態では、表示装置１２が黄色の見た目の違和感を減少させる処理を行ったが、マジェンダ色やシアン色の違和感を減少させる処理を行うことも出来る。
【０１３０】
さらに、本実施の形態では、第１の信号レベル変換処理手段２が青色信号に施す変換は、図２（ａ）に示すように所定の輝度レベル以上で線形な変換を行っていたが、非線形な変換であっても構わない。要するに、第１の信号レベル変換処理手段２は、第１の信号レベル変換処理手段２に入力されるＢ信号を、入力時のＢ信号に比べて、より値が減少した信号になるように変換しさえすればよい。
【０１３１】
さらに、本実施の形態では、第２の信号レベル変換処理手段３が青色信号に施す変換は、所定の輝度レベルまでで線形な変換を行っていたが、非線形な変換であっても構わない。要するに第２の信号レベル変換処理手段３は、第２の信号レベル変換処理手段３に入力されるＢ信号を、入力時のＢ信号に比べて、値が増加した信号になるように変換しさえすればよい。
【０１３２】
さらに、本実施の形態では、疑似乱数発生器２７は、水平同期信号１８が入力されたタイミングで、初期状態に再設定されるとして説明したが、これに限らない。疑似乱数発生器２７は、水平同期信号１８が入力されたタイミングで、初期状態に再設定されなくても構わない。
【０１３３】
（実施の形態２）
次に、実施の形態２について説明する。
【０１３４】
実施の形態１では、明るい黄色（彩度が低い黄色）すなわちパステルイエローが、その映像部分が白色に囲まれていたり、白色に隣接したりしていても、緑色がかって見えるなどの、見た目の色が異なって見える違和感を減少することが出来る表示装置について説明した。実施の形態２では、明るい黄色（彩度が低い黄色）すなわちパステルイエローのみならず、明るいマジェンダ色（彩度が低いマジェンダ色）すなわちパステルマジェンダ色、及び明るいシアン色（彩度が低いシアン色）すなわちパステルシアン色についても、その映像部分が白色に囲まれていたり、白色に隣接したりしていても、見た目の色が異なって見える違和感を減少することが出来る表示装置について説明する。
【０１３５】
図６に、実施の形態２の表示装置４１の構成を示す。
【０１３６】
表示装置４１は、色成分分離検出手段３４、切換信号発生手段４、Ｒ信号レベル変換手段３５、Ｇ信号レベル変換手段３６、Ｂ信号レベル変換手段３７、第１の選択手段３８、第２の選択手段３９、第３の選択手段４０、白成分検出手段７、白表示素子駆動手段８、白表示部９、ＲＧＢ表示素子駆動手段１０、及びＲＧＢ表示部１１から構成される。
【０１３７】
色成分分離検出手段３４は、入力されてくるＲＧＢ信号に黄色成分が含まれているかいないかを示す黄色成分検出信号を出力し、また、入力されてくるＲＧＢ信号にマジェンダ色成分が含まれているかいないかを示すマジェンダ色成分検出信号を出力し、また、入力されてくるＲＧＢ信号にシアン色成分が含まれているかいないかを示すシアン色成分検出信号を出力する手段である。
【０１３８】
切換信号発生手段４は、実施の形態１で説明したものと同等のものである。
【０１３９】
Ｒ信号レベル変換手段３５は、入力されてくるＲＧＢ信号のうちＲ信号に対して、シアン色成分の補色である赤色の信号レベルを低下させる第１の色補正と、赤色の信号レベルを増加させる第２の色補正とを行い、切換信号発生手段４から出力された切換信号に基づいて、第１の色補正、及び第２の色補正のうちいずれかの色補正で色補正されたＲ信号を出力する手段である。
【０１４０】
Ｇ信号レベル変換手段３６は、入力されてくるＲＧＢ信号のうちＧ信号に対して、マジェンダ色成分の補色である緑色の信号レベルを低下させる第１の色補正と、緑色の信号レベルを増加させる第２の色補正とを行い、切換信号発生手段４から出力された切換信号に基づいて、第１の色補正、及び第２の色補正のうちいずれかの色補正で色補正されたＧ信号を出力する手段である。
【０１４１】
Ｂ信号レベル変換手段３７は、入力されてくるＲＧＢ信号のうちＢ信号に対して、黄色成分の補色である青色の信号レベルを低下させる第１の色補正と、青色の信号レベルを増加させる第２の色補正とを行い、切換信号発生手段４から出力された切換信号に基づいて、第１の色補正、及び第２の色補正のうちいずれかの色補正で色補正されたＢ信号を出力する手段である。
【０１４２】
Ｂ信号レベル変換手段３７は、実施の形態１の表示装置１２の第１の信号レベル変換処理手段２、第２の信号レベル変換処理手段３、及び第１の選択手段５に相当する。
【０１４３】
また、Ｒ信号レベル変換手段３５は、実施の形態１の表示装置１２の第１の信号レベル変換処理手段２、第２の信号レベル変換処理手段３、及び第１の選択手段５において、第１の信号レベル変換処理手段２、及び第２の信号レベル変換処理手段３が、青色に対して行った色補正と同等の色補正を、赤色に最適化した変換テーブルを用いて赤色に対して行う場合に相当する。
【０１４４】
また、Ｇ信号レベル変換手段３６は、実施の形態１の表示装置１２の第１の信号レベル変換処理手段２、第２の信号レベル変換処理手段３、及び第１の選択手段５において、第１の信号レベル変換処理手段２、及び第２の信号レベル変換処理手段３が、青色に対して行った色補正と同等の色補正を、緑色に最適化した変換テーブルを用いて緑色に対して行う場合に相当する。
【０１４５】
第１の選択手段３８は、色成分分離検出手段３４のシアン色成分検出信号すなわちシアン色成分の検出結果に基づいて、Ｒ信号レベル変換手段３５から出力されたＲ信号、及び表示装置４１に入力されてくるＲＧＢ信号のうちのＲ信号のいずれかを選択して出力する手段である。
【０１４６】
第２の選択手段３９は、色成分分離検出手段３４のマジェンダ色成分検出信号すなわちマジェンダ色成分の検出結果に基づいて、Ｇ信号レベル変換手段３６から出力されたＧ信号、及び表示装置４１に入力されてくるＲＧＢ信号のうちのＧ信号のいずれかを選択して出力する手段である。
【０１４７】
第３の選択手段４０は、色成分分離検出手段３４の黄色成分検出信号すなわち黄色成分の検出結果に基づいて、Ｂ信号レベル変換手段３７から出力されたＢ信号、及び表示装置４１に入力されてくるＲＧＢ信号のうちのＢ信号のいずれかを選択して出力する手段である。
【０１４８】
また、白成分検出手段７、白表示素子駆動手段８、白表示部９、ＲＧＢ表示素子駆動手段１０、及びＲＧＢ表示部１１については、背景技術で説明したものと同様であるので、説明を省略する。
【０１４９】
なお、本実施の形態のＲ信号レベル変換手段３５、Ｇ信号レベル変換手段３６、Ｂ信号レベル変換手段３７は本発明の色補正手段の例であり、本実施の形態の切換信号発生手段４、第１の選択手段３８、第２の選択手段３９、及び第３の選択手段４０は本発明の選択手段の例であり、本実施の形態の切換信号発生手段４、第１の選択手段３８、第２の選択手段３９、及び第３の選択手段４０は本発明の高低生成手段の例であり本実施の形態の白成分検出手段７、白表示素子駆動手段８、白表示部９、ＲＧＢ表示素子駆動手段１０、及びＲＧＢ表示部１１は本発明の表示手段の例であり、本実施の形態のＲ（赤）色、Ｇ（緑）色、Ｂ（青）色は本発明の３原色の例であり、本実施の形態のＲＧＢ信号は本発明の色信号の例であり、本実施の形態の黄色、マジェンダ色、及びシアン色は本発明の所定の色の例である。
【０１５０】
次に、このような本実施の形態の動作を説明する。
【０１５１】
パーソナルコンピュータやＤＶＤ装置やテレビ受信装置など表示装置４１に映像を表示する装置から入力されてくるＲＧＢ信号は、色成分分離検出手段３４に入力される。また、その入力されてくるＲＧＢ信号のうちのＲ信号は、Ｒ信号レベル変換手段３５と第１の選択手段３８に入力され、その入力されてくるＲＧＢ信号のうちのＧ信号は、Ｇ信号レベル変換手段３６と第２の選択手段３９に入力され、その入力されてくるＲＧＢ信号のうちのＢ信号は、Ｂ信号レベル変換手段３７と第３の選択手段４０に入力される。
【０１５２】
色成分分離検出手段３４は、入力されてくるＲＧＢ信号にシアン色成分が含まれている場合には、第１の選択手段３８に、シアン色成分検出信号として、１を出力し、入力されてくるＲＧＢ信号にシアン色成分が含まれていない場合には、第１の選択手段３８に、シアン色成分検出信号として、０を出力する。
【０１５３】
また、色成分分離検出手段３４は、入力されてくるＲＧＢ信号にマジェンダ色成分が含まれている場合には、第２の選択手段３９にマジェンダ色成分検出信号として１を出力し、入力されてくるＲＧＢ信号にマジェンダ色成分が含まれていない場合には、第２の選択手段３９にマジェンダ色成分検出信号として０を出力する。
【０１５４】
また、色成分分離検出手段３４は、入力されてくるＲＧＢ信号に黄色成分が含まれている場合には、第３の選択手段４０に黄色成分検出信号として１を出力し、入力されてくるＲＧＢ信号に黄色成分が含まれていない場合には、第３の選択手段４０に黄色成分検出信号として０を出力する。
【０１５５】
一方、Ｒ信号レベル変換手段３５は、入力されてくるＲ信号に対して、シアン色成分の補色である赤色の信号レベルを低下させる第１の色補正と、赤色の信号レベルを増加させる第２の色補正とを行う。そして、切換信号発生手段４から出力された切換信号に基づいて、第１の色補正、及び第２の色補正のうちいずれかの色補正で色補正されたＲ信号を第１の選択手段３８に出力する。
【０１５６】
そして、第１の選択手段３８は、色成分分離検出手段３４から出力されたシアン色成分検出信号が１すなわちシアン色成分が表示装置４１に入力されてくるＲＧＢ信号に含まれている場合には、Ｒ信号レベル変換手段３５から出力されたＲ信号を選択して白成分検出手段７及びＲＧＢ表示素子駆動手段１０に出力する。一方、第１の選択手段３８は、色成分分離検出手段３４から出力されたシアン色成分検出信号が０すなわちシアン色成分が表示装置４１に入力されてくるＲＧＢ信号に含まれていない場合には、表示装置４１に入力されてくるＲＧＢ信号のうちのＲ信号を選択して白成分検出手段７及びＲＧＢ表示素子駆動手段１０に出力する。
【０１５７】
Ｇ信号レベル変換手段３６は、入力されてくるＧ信号に対して、マジェンダ色成分の補色である緑色の信号レベルを低下させる第１の色補正と、緑色の信号レベルを増加させる第２の色補正とを行う。そして、切換信号発生手段４から出力された切換信号に基づいて、第１の色補正、及び第２の色補正のうちいずれかの色補正で色補正されたＧ信号を第２の選択手段３９に出力する。
【０１５８】
そして、第２の選択手段３９は、色成分分離検出手段３４から出力されたマジェンダ色成分検出信号が１すなわちマジェンダ色成分が表示装置４１に入力されてくるＲＧＢ信号に含まれている場合には、Ｇ信号レベル変換手段３６から出力されたＧ信号を選択して白成分検出手段７及びＲＧＢ表示素子駆動手段１０に出力する。一方、第２の選択手段３９は、色成分分離検出手段３４から出力されたマジェンダ色成分検出信号が０すなわちマジェンダ色成分が表示装置４１に入力されてくるＲＧＢ信号に含まれていない場合には、表示装置４１に入力されてくるＲＧＢ信号のうちのＧ信号を選択して白成分検出手段７及びＲＧＢ表示素子駆動手段１０に出力する。
【０１５９】
Ｂ信号レベル変換手段３７は、入力されてくるＢ信号に対して、黄色成分の補色である青色の信号レベルを低下させる第１の色補正と、青色の信号レベルを増加させる第２の色補正とを行う。そして、切換信号発生手段４から出力された切換信号に基づいて、第１の色補正、及び第２の色補正のうちいずれかの色補正で色補正されたＢ信号を第３の選択手段４０に出力する。
【０１６０】
そして、第３の選択手段４０は、色成分分離検出手段３４から出力された黄色成分検出信号が１すなわち黄色成分が表示装置４１に入力されてくるＲＧＢ信号に含まれている場合には、Ｂ信号レベル変換手段３７から出力されたＢ信号を選択して白成分検出手段７及びＲＧＢ表示素子駆動手段１０に出力する。一方、第３の選択手段４０は、色成分分離検出手段３４から出力された黄色成分検出信号が０すなわち黄色成分が表示装置４１に入力されてくるＲＧＢ信号に含まれていない場合には、表示装置４１に入力されてくるＲＧＢ信号のうちのＢ信号を選択して白成分検出手段７及びＲＧＢ表示素子駆動手段１０に出力する。
【０１６１】
白成分検出手段７、白表示素子駆動手段８、白表示部９、ＲＧＢ表示素子駆動手段１０、ＲＧＢ表示部１１の動作は背景技術で説明したものと同様である。
【０１６２】
このようにして、表示画面に映像が表示される。
【０１６３】
ここで、黄色成分とマジェンダ色成分とをともに含むＲＧＢ信号や、黄色成分とシアン色成分とをともに含むＲＧＢ信号や、マジェンダ色成分とシアン色成分とをともに含むＲＧＢ信号は存在しないので、黄色成分検出信号、マジェンダ色成分検出信号、シアン色成分検出信号の２つ以上が１をとることはない。すなわち、黄色成分検出信号、マジェンダ色成分検出信号、シアン色成分検出信号の値は、全て０になるか、いずれか一つの信号のみが１をとる場合しかない。
【０１６４】
従って、切換信号発生手段４として、図４（ａ）の切換信号発生手段４を用いることにより、次のように表示される。すなわち、表示画面で黄色成分またはマジェンダ色成分またはシアン色成分が含まれている領域は、彩度が増加されたＲＧＢ信号と、白色成分が増加されたＲＧＢ信号とで、例えば市松模様のパターン等で表示されるとともに、一つの画素に着目すると、フィールドまたはフレーム毎に彩度が増加されたＲＧＢ信号と、白色成分が増加されたＲＧＢ信号とで交番表示されるようになる。
【０１６５】
また、切換信号発生手段４として、図４（ｂ）の切換信号発生手段４を用いることにより、次のように表示される。すなわち、表示画面で黄色成分またはマジェンダ色成分またはシアン色成分が含まれている領域は、彩度が増加されたＲＧＢ信号と、白色成分が増加されたＲＧＢ信号とが、ランダムなパターンで表示されるとともに、一つの画素に着目すると、フィールドまたはフレーム毎に彩度が増加されたＲＧＢ信号と、白色成分が増加されたＲＧＢ信号とで交番表示されるようになる。
【０１６６】
このように、入力されたＲＧＢ信号に黄色成分またはマジェンダ色成分またはシアン色成分が含まれている表示画面の領域、すなわち入力されたＲＧＢ信号に黄色成分またはマジェンダ色成分またはシアン色成分を有する画素が隣接して複数個存在する表示画面の領域は、市松模様等のように交番表示されることになる。すなわち、入力されたＲＧＢ信号に黄色成分またはマジェンダ色成分またはシアン色成分を有する画素が隣接して複数個存在しない場合、すなわち、黄色成分またはマジェンダ色成分またはシアン色成分を有する画素が一つだけ孤立して存在する場合は、このような交番表示は出来ない。従って、このような交番表示は、入力されたＲＧＢ信号に黄色成分またはマジェンダ色成分またはシアン色成分を有する画素が隣接して複数個存在する表示画面の領域に対して行われる。このように、入力されたＲＧＢ信号に黄色成分またはマジェンダ色成分またはシアン色成分が含まれている表示画面の領域に、彩度が増加されたＲＧＢ信号と、白色成分が増加されたＲＧＢ信号とのいずれかを利用してその領域の画素毎に表示を行うことにより、その表示面の領域に彩度の高低が付けられる。
【０１６７】
なお、本実施の形態の入力されたＲＧＢ信号に黄色成分またはマジェンダ色成分またはシアン色成分が含まれている表示画面の領域は、本発明の前記所定の色の成分を有する画素が隣接して複数個存在する領域の例である。
【０１６８】
なお、表示画面で黄色成分またはマジェンダ色成分またはシアン色成分が含まれている領域は、例えば市松模様のパターン等で表示し、フィールド毎に交番表示しなくても構わない。また、このような領域は、ランダムなパターンで表示し、フィールド毎に交番表示しなくても構わない。また、このような領域は、一つのフィールドまたはフレームでは、彩度が増加されたＲＧＢ信号及び白色成分が増加されたＲＧＢ信号のいずれかで表示し、フィールド毎またはフレーム毎に彩度が増加されたＲＧＢ信号と白色成分が増加されたＲＧＢ信号とで交番表示しても構わない。ただし一つのフィールドまたはフレームでは、彩度が増加されたＲＧＢ信号及び白色成分が増加されたＲＧＢ信号のいずれかで表示し、フィールド毎またはフレーム毎に彩度が増加されたＲＧＢ信号と白色成分が増加されたＲＧＢ信号とで交番表示する場合には、１秒間に表示するフィールドまたはフレームの数が少ないと、フリッカーが発生するので、１秒間に表示するフィールドまたはフレームの数を十分大きくする必要がある。
【０１６９】
実施の形態１では、明るい黄色（彩度が低い黄色）すなわちパステルイエローが、その映像部分が白色に囲まれていたり、白色に隣接したりしていても、緑色がかって見えるなどの、見た目の色が異なって見える違和感を減少することが出来た。実施の形態２では、明るい黄色（彩度が低い黄色）すなわちパステルイエローのみならず、明るいマジェンダ色（彩度が低いマジェンダ色）すなわちパステルマジェンダ色、及び明るいシアン色（彩度が低いシアン色）すなわちパステルシアン色についても、その映像部分が白色に囲まれていたり、白色に隣接したりしていても、見た目の色が異なって見える違和感を減少することが出来る。
【０１７０】
なお、本実施の形態では、黄色、マジェンダ色、及びシアン色の見た目の違和感を減少させるとして説明したが、これら３つの色のうちの２つまたは１つの色の見た目の違和感を減少させることも可能である。例えば、マジェンダ色のみの見た目の違和感を減少させる場合には、Ｒ信号レベル変換手段３５、第１の選択手段３８、Ｂ信号レベル変換手段３７、及び第３の選択手段４０を備えなくても構わない。
【０１７１】
（実施の形態３）
次に、実施の形態３について説明する。
【０１７２】
実施の形態３では、実施の形態１と同様に、明るい黄色（彩度が低い黄色）すなわちパステルイエローの映像部分が白色に囲まれていたり、白色に隣接したりしていても、緑色がかって見えるなどの、見た目の色が異なって見える違和感を減少することが出来る表示装置について説明する。
【０１７３】
図７は、実施の形態３の表示装置１１２の構成を示すブロック図である。
【０１７４】
表示装置１１２は、色成分分離検出手段１０１、第１の信号レベル変換処理手段１０２、第２の信号レベル変換処理手段１０３、切換信号発生手段１０４、第１の選択手段１０５、第２の選択手段１０６、白成分検出手段１０７、白表示素子駆動手段１０８、白表示部１０９、ＲＧＢ表示素子駆動手段１１０、及びＲＧＢ表示部１１１から構成される。
【０１７５】
色成分分離検出手段１０１は、入力されてくるＲＧＢ信号に黄色成分が含まれている場合には、その黄色成分を分離検出する手段である。
【０１７６】
第１の信号レベル変換処理手段１０２は、入力されてくるＲＧＢ信号のうちＢ信号を入力し、そのＢ信号に対して、黄色成分の補色である青色の信号レベルを低下させる変換を行う手段である。
【０１７７】
第２の信号レベル変換処理手段１０３は、入力されてくるＲＧＢ信号のうちＢ信号を入力し、そのＢ信号に対して、黄色成分の補色である青色の信号レベルを増加させる変換を行う手段である。
【０１７８】
切換信号発生手段１０４は、第１の選択手段１０５が、第１の信号レベル変換処理手段１０２から出力されたＢ信号、及び第２の信号レベル変換処理手段１０３から出力されたＢ信号のいずれかを選択するための信号を出力する手段である。
【０１７９】
第１の選択手段１０５は、第１の信号レベル変換処理手段１０２から出力されたＢ信号、及び第２の信号レベル変換処理手段１０３から出力されたＢ信号のいずれかを、切換信号発生手段１０４から出力されてくる信号に基づいて選択して出力する手段である。
【０１８０】
第２の選択手段１０６は、色成分分離検出手段１０１の黄色成分の検出結果に基づいて、第１の選択手段１０５から出力されたＢ信号、及び表示装置１１２に入力されてくるＲＧＢ信号のうちのＢ信号のいずれかを選択して出力する手段である。
【０１８１】
また、白成分検出手段１０７、白表示素子駆動手段１０８、白表示部１０９、ＲＧＢ表示素子駆動手段１１０、及びＲＧＢ表示部１１１については、背景技術で説明したものと同様であるので、説明を省略する。
【０１８２】
尚、本発明の色検出手段の一例は、本実施の形態３では色成分分離検出手段１０１に相当し、本発明の色補正手段の一例は、本実施の形態３では第１の信号レベル変換処理手段１０２、及び第２の信号レベル変換処理手段１０３に相当する。又、本発明の制御手段は、本実施の形態３では切替信号発生手段１０４、第１の選択手段１０５、及び第２の選択手段１０６に相当する。又、本発明の表示手段の一例は、白成分検出手段１０７、白表示素子駆動手段１０８、白表示部１０９、ＲＧＢ表示素子駆動手段１１０、及びＲＧＢ表示部１１１に相当する。
【０１８３】
又、本発明の３原色の一例は、本実施の形態３ではＲ（赤）色、Ｇ（緑）色、Ｂ（青）色に相当する。本発明の色信号の一例は、本実施の形態３ではＲＧＢ信号に相当し、本発明の所定の色成分の一例は、本実施の形態３では黄色に相当する。
【０１８４】
次に、上記構成の本実施の形態３における表示装置の動作とともに本発明の表示方法の一例についても同時に説明する。
【０１８５】
パーソナルコンピュータやＤＶＤ装置やテレビ受信装置など表示装置１１２に映像を表示する装置から入力されてくるＲＧＢ信号は、色成分分離検出手段１０１に入力される。また、その入力されてくるＲＧＢ信号のうち、Ｂ信号は、第１の信号レベル変換処理手段１０２、第２の信号レベル変換処理手段１０３、及び第２の選択手段１０６に入力される。また、その入力されてくるＲＧＢ信号のうちＲ信号及びＧ信号は、白成分検出手段１０７、及びＲＧＢ表示素子駆動手段１１０に入力される。
【０１８６】
色成分分離検出手段１０１は、入力されてくるＲＧＢ信号が黄色成分が含まれているかどうかを検出する（本発明の色検出ステップの一例に相当する。）。
【０１８７】
図５に、ＲＧＢ信号の一例を示す。赤色を表すＲ信号は、緑色を表すＧ信号、及び青色を表すＢ信号は、それぞれ０から２５５までの２５６通りの値を取りうる信号であり、この値が大きいほど高い輝度の色を表す。図５のＲＧＢ信号には、緑成分３１、黄色成分３２、及び白色成分３３が含まれている。
【０１８８】
ＲＧＢ信号から黄色成分を検出することは、Ｒ信号の値とＧ信号の値とがともにＢ信号の値より大きい場合を検出することにより行うことが出来る。すなわち、Ｒ信号の値とＧ信号の値とがともにＢ信号の値より大きい場合にはＲＧＢ信号に黄色成分が含まれていることになる。
【０１８９】
色成分分離検出手段１０１は、ＲＧＢ信号に黄色成分が含まれている場合には、１を出力し、ＲＧＢ信号に黄色成分が含まれていない場合には、０を出力する。そして、色成分分離検出手段１０１の出力は、第２の選択手段１０６に入力される。
【０１９０】
一方、第１の信号レベル変換処理手段１０２は、表示装置１１２に入力されたＲＧＢ信号のうちＢ信号を入力し、黄色成分の補色である青色の信号レベルを低下させる変換を行う。言い換えると、第１の信号レベル変換処理手段１０２は、表示装置１１２に入力されたＲＧＢ信号に黄色成分が含まれている場合には、彩度を増加させる変換を行う。
【０１９１】
図２（ａ）に、第１の信号レベル変換処理手段１０２がＢ信号に対して行う変換処理を示す。すなわち、図２（ａ）の横軸は、第１の信号レベル変換処理手段１０２に入力されるＢ信号の値を示し、縦軸は、第１の信号レベル変換処理手段１０２によって変換処理が行われた後のＢ信号の値を示す。第１の信号レベル変換処理手段１０２は、図２（ａ）に示す変換処理を行うための変換テーブルを予め保持しており、その変換テーブルを用いて図２（ａ）の変換処理を行う。なお、第１の信号レベル変換処理手段１０２は、変換テーブルを用いて図２（ａ）に示す変換処理を行うとして説明したが、これに限らない。例えば、ハードウェアやソフトウェアによる演算処理によって図２（ａ）に示す変換処理を行うなど、変換テーブル以外の方法を用いて図２（ａ）の変換処理を行っても構わない。
【０１９２】
図２（ａ）から明らかなように、第１の信号レベル変換処理手段１０２に入力されるＢ信号の値が所定の値より小さいときは、第１の信号レベル変換処理手段１０２から出力されるＢ信号の値は０になる。そして、第１の信号レベル変換処理手段１０２に入力されるＢ信号の値がその所定の値より大きい場合には、第１の信号レベル変換処理手段１０２から出力されるＢ信号の値は、０より大きい値になるが、第１の信号レベル変換処理手段１０２に入力されるＢ信号の値よりは小さい値になる。
【０１９３】
このように、第１の信号レベル変換処理手段１０２は、図２（ａ）に示すように入力されてくるＢ信号の値を変換するので、第１の信号レベル変換処理手段１０２を用いて出力されるＲＧＢ信号は、入力時のＲＧＢ信号に比べて、Ｂ信号の値が小さくなる。この第１の信号レベル変換処理手段１０２から出力されるＢ信号を第１のＢ信号とする。
【０１９４】
すなわち、表示装置１１２に入力されてくるＲＧＢ信号が、図５に示すように黄色成分３２を含む場合には、第１の信号レベル変換処理手段１０２から出力される第１のＢ信号と、表示装置１１２に入力されてくるＲ信号とＧ信号とで新たにＲＧＢ信号が構成される。その構成されたＲＧＢ信号は、黄色成分３２が増加し、白色成分３３が減少するため、表示装置１１２に入力されてくるＲＧＢ信号に比べて彩度が増加した信号になる。この様に彩度を増加させる色補正が、本発明の第１の色補正の一例に相当し、この彩度が増加したＲＧＢ信号を第１のＲＧＢ信号とし、本発明の第１の色信号の一例に相当する。
また、第２の信号レベル変換処理手段１０３は、表示装置１１２に入力されたＲＧＢ信号のうちＢ信号に対して、黄色成分の補色である青色の信号レベルを増加させる変換を行う。言い換えると、第２の信号レベル変換処理手段１０３は、表示装置１１２に入力されたＲＧＢ信号に黄色成分が含まれている場合には、白色成分を増加させる変換を行う。
【０１９５】
図２（ｂ）に、第２の信号レベル変換処理手段１０３がＢ信号に対して行う変換処理を示す。すなわち、図２（ｂ）の横軸は、第２の信号レベル変換処理手段１０３に入力されるＢ信号の値を示し、縦軸は、第２の信号レベル変換処理手段１０３によって変換処理が行われた後のＢ信号の値を示す。第２の信号レベル変換処理手段１０３は、図２（ｂ）に示す変換処理行うための変換テーブルを予め保持しており、その変換テーブルを用いて図２（ｂ）の変換処理を行う。なお、第２の信号レベル変換処理手段１０３は、変換テーブルを用いて図２（ｂ）に示す変換処理を行うとして説明したが、これに限らない。例えば、ハードウェアやソフトウェアによる演算処理によって図２（ｂ）に示す変換処理を行うなど、変換テーブル以外の方法を用いて図２（ｂ）の変換処理を行っても構わない。
【０１９６】
第２の信号レベル変換処理手段１０３は、図２（ｂ）に示すように入力されてくるＢ信号の値を変換するので、第２の信号レベル変換処理手段１０３から出力されるＢ信号は、入力時のＢ信号に比べて、Ｂ信号の値がより大きくなる。この第２の信号レベル変換処理手段１０３から出力されるＢ信号を第２のＢ信号とする。
【０１９７】
すなわち、表示装置１１２に入力されてくるＲＧＢ信号が黄色成分３２を含む場合には、第２の信号レベル変換処理手段１０３から出力される第２のＢ信号を、表示装置１１２に入力されてくるＲ信号及びＧ信号と合成して新たにＲＧＢ信号を構成すると、その構成されたＲＧＢ信号は、表示装置１１２に入力されてくるＲＧＢ信号に比べて白色成分が増加した信号になる。尚、白色成分を増加させる色補正が、本発明の第２の色補正の一例に相当し、この白色成分が増加したＲＧＢ信号を第２のＲＧＢ信号とし、本発明の第２の色信号の一例に相当する。又、第１の信号レベル変換処理手段１０２及び第２の信号レベル変換処理手段１０３によるＢ信号のレベルの変換が、本発明の色補正ステップの一例に相当する。
【０１９８】
切換信号発生手段１０４は、表示装置１１２のＲＧＢ表示素子駆動手段１１０及び白表示素子駆動手段１０８がＲＧＢ表示部１１１及び白表示部１０９を駆動するタイミングを決定するためのドットクロック、水平同期信号、及び垂直同期信号を利用して、切換信号を発生して第１の選択手段１０５に出力する。この切換信号は１または０のいずれかの値を取る信号である。なお、切換信号発生手段１０４の動作については後述する。
【０１９９】
第１の選択手段１０５は、切換信号発生手段１０４から出力された切換信号の値が１の場合には、第１の信号レベル変換処理手段１０２から出力された第１のＢ信号を選択して、第２の選択手段１０６に出力し、切換信号の値が０の場合には、第２の信号レベル変換処理手段１０３から出力された第２のＢ信号を選択して、第２の選択手段１０６に出力する。
【０２００】
第２の選択手段１０６は、色成分分離検出手段１０１が出力した信号の値が１である場合、すなわち、黄色成分が含まれている場合には、第１の選択手段１０５から出力された第１又は第２のＢ信号を選択して、ＲＧＢ表示素子駆動手段１１０、及び白成分検出手段１０７に出力する。また、第２の選択手段１０６は、色成分分離検出手段１０１が出力した信号の値が０である場合、すなわち、黄色成分が含まれていない場合には、表示装置１１２に入力されたＲＧＢ信号のうちＢ信号を変換処理することなく、ＲＧＢ表示素子駆動手段１１０、及び白成分検出手段１０７に出力する。この変換処理することなく出力されるＢ信号を第３のＢ信号とする。又、この変換処理されていないＢ信号と表示装置１１２に入力されてくるＲ信号とＧ信号によって構成されるＲＧＢ信号を第３の色信号とし、本発明の色補正がされていない色信号の一例に相当する。又、上述した切替信号による第１のＢ信号又は第２のＢ信号の選択と、第２の選択手段１０６による、第１のＢ信号若しくは第２のＢ信号、又は第３のＢ信号の選択が、本発明の制御ステップの一例に相当する。
【０２０１】
すなわち、ＲＧＢ表示素子駆動手段１１０及び白成分検出手段１０７には、表示装置１１２に入力されてくるＲ信号及びＧ信号と、第２の選択手段１０６から出力された第１〜３のいずれかのＢ信号とが入力される。そして、白成分検出手段１０７及びＲＧＢ表示素子駆動手段１１０は、これらのＲ信号、Ｇ信号、及びＢ信号を新たなＲＧＢ信号として処理を行う。
【０２０２】
また、白成分検出手段１０７、白表示素子駆動手段１０８、白表示部１０９、ＲＧＢ表示素子駆動手段１１０、ＲＧＢ表示部１１１の動作は背景技術で説明したものと同様である。
【０２０３】
このようにして、表示画面に映像が表示される（本発明の表示ステップの一例に相当する。）。
【０２０４】
ところで、切換信号発生手段１０４が出力する切換信号は、例えば、ある画素に対して切換信号の値が１である場合には、その画素の水平方向に隣接する画素では、切換信号の値が１になり、さらに水平方向に隣接する画素では、切換信号の値が０、さらに水平方向に隣接する画素では、切換信号の値が０、さらに水平方向に隣接する画素では、切換信号の値が１になるような信号である。すなわち、水平方向の画素列に着目すると、切換信号は、画素毎の表示のタイミングを決定するためのドットクロック２個毎に０と１とをとる。同様に垂直方向の画素列に着目すると、切換信号は、２水平期間毎に０と１をとる。
【０２０５】
従って、入力されたＲＧＢ信号に黄色成分が含まれている表示画面の領域、すなわち入力されたＲＧＢ信号に黄色成分を有する画素が隣接して複数個存在する表示画面の領域は、図８のように、第１のＲＧＢ信号が表示された黄色の画素１１５、及び第２のＲＧＢ信号が表示された白の画素１１６とが縦２画素×横２画素の領域をひとかたまりとした市松模様で交番表示されることになる。
【０２０６】
このように、表示装置１１２は、入力されたＲＧＢ信号に黄色成分が含まれている表示画面の領域に、彩度が増加された第１のＲＧＢ信号と、白色成分が増加された第２のＲＧＢ信号とのいずれかを利用してその領域の画素毎に表示を行うことにより、その表示面の領域に彩度の高低をつける。
【０２０７】
従って、例えば明るい黄色（彩度が低い黄色）すなわちパステルイエローが、より彩度が増加された黄色の画素１１５とより白色成分が増加された白の画素１１６とで表示されることになる。そのため、人間の目の積分効果により、人間の目には明るい黄色（彩度が低い黄色）すなわちパステルイエローが表示されていると感じられることになる。
【０２０８】
さらに、明るい黄色（彩度が低い黄色）すなわちパステルイエローを、より彩度が増加された黄色と、より白色成分が増加された黄色との交番表示で表示することによって、その映像部分の明るさを増加することが出来るので、その映像部分が白色に囲まれていたり、白色に隣接したりしていても、緑色がかって見えるなどの、見た目の色が異なって見える違和感を減少することが出来る。
【０２０９】
なお、図８では、入力されたＲＧＢ信号に黄色成分が含まれている表示画面の領域を、黄色の画素１１５及び白の画素１１６とを縦２画素×横２画素の領域をひとかたまりとした市松模様で交番表示して明るい黄色（彩度が低い黄色）すなわちパステルイエローを表したが、時間的に交番表示しても同等の効果を得ることが出来る。すなわち、ある画素が、黄色の画素１１５で表示されている場合、次のフレームを表示する際には、白の画素１１６で表示するなどすることが出来る。
【０２１０】
すなわち、フレーム毎に黄色の画素１１５に対応した第１のＲＧＢ信号と白の画素１１６に対応した第２のＲＧＢ信号とを切り替えて表示するようにしても、上述したような見た目の色が異なって見える違和感等を減少することができる。このように第１のＲＧＢ信号と第２のＲＧＢ信号を時間的に切り替えて表示することが、本発明の制御の一例に相当する。
【０２１１】
次に、前述したように、切換信号発生手段１０４について説明する。
【０２１２】
図９に切換信号発生手段１０４の構成を示す。切換信号発生手段１０４は、分周器１２０、分周器１２１、１／２分周器１２２、及び演算手段１５３から構成される。
【０２１３】
分周器１２０は、白表示素子駆動手段１０８やＲＧＢ表示素子駆動手段１１０が、画素毎の表示のタイミングを決定するために入力されたドットクロック信号１１７を、１／２分周を２回繰り返して、画素交番信号１２３を出力する手段である。
【０２１４】
分周器１２１は、白表示素子駆動手段１０８やＲＧＢ表示素子駆動手段１１０が、１水平期間毎の表示のタイミングを決定するために入力された水平同期信号１１８を、１／２分周を２回繰り返して、ライン交番信号１２４を出力する手段である。
【０２１５】
１／２分周器１２２は、白表示素子駆動手段１０８やＲＧＢ表示素子駆動手段１１０が、１フレーム毎の表示のタイミングを決定するために入力された垂直同期信号１１９を、分周して、フレーム交番信号１２５を出力する手段である。
【０２１６】
演算手段１５３は、画素交番信号１２３、ライン交番信号１２４、及びフレーム交番信号１２５の排他的論理和を求め、求めた排他的論理和を切換信号１２６として出力する手段である。
【０２１７】
すなわち、ドットクロック信号１１７は、分周器１２０に入力され、分周器１２０は、ドットクロック信号１１７を用いて、１／２分周を２回繰り返して、画素交番信号１２３を出力する。
【０２１８】
また、水平同期信号１１８は、分周器１２０及び分周器１２１に入力される。分周器１２０は、水平同期信号１１８が入力されたタイミングで、初期状態に再設定される。また、分周器１２１は、水平同期信号１１８を用いて、１／２分周を２回繰り返して、ライン交番信号１２４を出力する。
【０２１９】
また、垂直同期信号１１９は、分周器１２１、及び１／２分周器１２２に入力される。分周器１２１は、垂直同期信号１１９が入力されると、初期状態に再設定される。また、１／２分周器１２２は、垂直同期信号１１９を１／２分周して、フレーム交番信号１２５を出力する。
【０２２０】
演算手段１５３は、画素交番信号１２３、ライン交番信号１２４、及びフレーム交番信号１２５を入力し、それらの排他的論理和を求め、切換信号１２６として出力する。
【０２２１】
分周器１２０及び分周器１２１が、ドットクロック信号１１７と水平同期信号１１８とを用いて、それぞれ１／２分周を２回繰り返すため、切換信号１２６は、縦２画素×横２画素の領域をひとかたまりとした市松模様のパターンを表すものとなる。
【０２２２】
図９の切換信号発生手段１０４を用いることにより、第１の選択手段１０５で第１のＢ信号又は第２のＢ信号が２画素単位毎で切り替えられて選択されるため、表示画面で黄色成分が含まれている領域は、２画素単位毎に第１の色信号又は第２の色信号が空間的に交互に表示されることになる。
【０２２３】
また、特定の画素に着目すると、表示画面で黄色成分が含まれている場合は、第１の色信号と第２の色信号とがフレーム毎に切り替えられて表示されることになる。
【０２２４】
図１０に切替信号１２６を用いた際の出力結果例を示す。表示領域１６０はパステル黄の画素１１４を含む領域であり、表示領域１６１は切換信号１２６を用いて表示されるあるフレーム時の表示領域であり、表示領域１６２は表示領域１６１の次のフレーム時の表示領域である。
【０２２５】
図１０に示すように、表示領域１６１及び表示領域１６２は黄色の画素１１５及び白の画素１１６とが縦２画素×横２画素の領域をひとかたまりとした市松模様で交番表示され、特定の画素に着目すると、表示領域１６１と表示領域１６２で黄色の画素１１５と白の画素１１６とが切り替えられて表示される。
【０２２６】
尚、本実施の形態３では、特定の画素に着目した場合、フレーム毎に黄色の画素１１５と白色の画素１１６が切り替えられて表示されていたが、インターレース方式の場合、フィールド単位で行っても良い。例えば、奇数フィールドと偶数フィールドによって１フレームが表示される場合には、特定の画素の切替は２フィールド毎に行われることになる。
【０２２７】
なお、本発明の制御の一例として、本実施の形態３では、ドットクロック２個毎且つ２水平期間毎に第１のＢ信号と第２のＢ信号を切り替えることにより、黄色の画素１１５と白の画素１１６を縦２画素×横２画素の領域をひとかたまりとした市松模様のパターンとして表示させる制御を示した。
【０２２８】
しかし、縦２画素×横２画素に限らず、横２画素の領域をひとかたまりとした市松模様のパターンでも構わない、その場合、２水平期間毎に第１のＢ信号と第２のＢ信号を切り替えて選択を行う。この場合の出力結果を図１１に示す。表示領域１６３はパステル黄の画素１１４を含む領域であり、表示領域１６４は、２水平期間毎に第１のＢ信号と第２のＢ信号を切り替える切換信号を用いて表示されるあるフレーム時の表示領域であり、表示領域１６５は表示領域１６４の次のフレーム時の表示領域である。図１１に示すように、表示領域１６４及び表示領域１６５は黄色の画素１１５及び白の画素１１６とが横２画素の領域をひとかたまりとした市松模様で交番表示され、特定の画素に着目すると、表示領域１６４と表示領域１６５で黄色の画素１１５と白の画素１１６とが切り替えられて表示される。
【０２２９】
更に、縦２画素の領域をひとかたまりとした市松模様のパターンでも構わず、その場合ドットクロック２個毎に第１のＢ信号と第２のＢ信号を切り替えて選択を行う。又、２画素毎に限らず、２画素以上毎の領域をひとかたまりとした市松模様のパターンを形成するように第１のＢ信号と第２のＢ信号を切り替えるようにしてもよい。
【０２３０】
又、縦２画素×横２画素に限らず、２画素以上であってもよい。
【０２３１】
上述したように、本実施の形態３の表示装置によれば、、明るい黄色（彩度が低い黄色）すなわちパステルイエローが、その表示部分が白色に囲まれていたり、白色に隣接したりしていても、緑色がかって見えるなどの、見た目の色が異なって見える違和感を減少することが出来る。
【０２３２】
又、表示装置が１チップＤＬＰデータプロジェクタの場合、表示面の一つの画素には、カラーホイールと同期して、ＲＧＢＷの４色が時間的に順に切り替えられて表示される。ＰＤＰなどにおいてもこの時間的切り替えが行われているが、一般的に滑らかな階調性を表現するために画素の位置によって切り替えのタイミング(ＰＷＭ波形)を変更する場合がある。例えば、１ドットクロック毎且つ１水平期間毎に交番する市松模様でフィールドまたはフレーム毎に交番させると、そのフィールド又はフレーム間でＰＷＭ波形が異なる場合がある。その結果、ＰＷＭ波形を構成する周波数成分で、フィールド又はフレーム周波数の１／２の成分が大きくなってしまい、フリッカとなる場合がある。このような現象の発生もドットクロック２個毎、または２水平期間毎に切り替えることによって、より抑えることが出来る。
【０２３３】
尚、本実施の形態３では、図１０の表示領域１６０に示すような全てパステル黄の画素１１４で表示されるような色信号について説明したが、黄色成分を含んでいない色信号が含まれている場合についても以下に説明する。尚、黄色成分を含んでいない色信号として、黒色を例に挙げて説明する。
【０２３４】
図１２の表示領域１６６は、複数のパステル黄の画素１１４内に少数の黒の画素１６９を含む表示領域を示している。又、表示領域１６７は、表示領域１６６のような表示がなされる色信号を表示装置１１２で表示した、あるフレーム時の表示領域である。又、表示領域１６８は、表示領域１６７の次のフレーム時の表示領域を示している。
【０２３５】
この表示領域１６６に表示される複数の色信号について、第１のＢ信号又は第２のＢ信号が交互に第１の選択手段１０５で選択され、黄色の成分を含んでいない黒色信号については、補正がされていない第３のＢ信号が第２の選択手段１０６で選択され、Ｒ信号及びＧ信号と組み合わされて表示される。
【０２３６】
ここで、第１の選択手段による第１又は第２のＢ信号の選択は２画素単位毎で行われ、第２の選択手段１０６で第３のＢ信号が選択され表示される場合にも行われている。そのため表示装置１１２は、表示領域１６７に示されるように、仮に黒の画素１６９がなく表示領域１６７に表示される色信号が全て黄色成分を含んでいるとした状態で、黄色の画素１１５と白の画素１１６を交互に表示して、黒の画素１６９については、そのまま表示することになる。この表示領域１６７のように制御することが、本発明の制御の一例に相当する。
又、本実施の形態３では、表示装置１１２にＲＧＢ信号が入力されるとして説明したが、これに限らず、ＲＧＢ信号以外の色を表す信号が入力されても構わない。
【０２３７】
さらに、本実施の形態３では、表示装置１１２が黄色の見た目の違和感を減少させる処理を行ったが、マジェンダ色やシアン色の違和感を減少させる処理を行うことも出来る。
【０２３８】
さらに、本実施の形態３では、第１の信号レベル変換処理手段１０２が青色信号に施す変換は、図２（ａ）に示すように所定の輝度レベル以上で線形な変換を行っていたが、非線形な変換であっても構わない。要するに、第１の信号レベル変換処理手段１０２は、第１の信号レベル変換処理手段１０２に入力されるＢ信号を、入力時のＢ信号に比べて、より値が減少した信号になるように変換しさえすればよい。
【０２３９】
さらに、本実施の形態３では、第２の信号レベル変換処理手段１０３が青色信号に施す変換は、所定の輝度レベルまでで線形な変換を行っていたが、非線形な変換であっても構わない。要するに第２の信号レベル変換処理手段１０３は、第２の信号レベル変換処理手段１０３に入力されるＢ信号を、入力時のＢ信号に比べて、値が増加した信号になるように変換しさえすればよい。
【０２４０】
（実施の形態４）
次に、実施の形態４について説明する。
【０２４１】
実施の形態４では、実施の形態２と同様に、明るい黄色（彩度が低い黄色）すなわちパステルイエローのみならず、明るいマジェンダ色（彩度が低いマジェンダ色）すなわちパステルマジェンダ色、及び明るいシアン色（彩度が低いシアン色）すなわちパステルシアン色についても、その映像部分が白色に囲まれていたり、白色に隣接したりしていても、見た目の色が異なって見える違和感を減少することが出来る表示装置について説明する。
【０２４２】
図１３は、実施の形態４の表示装置１４１の構成を示すブロック図である。
【０２４３】
表示装置１４１は、色成分分離検出手段１３４、切換信号発生手段１０４、Ｒ信号レベル変換手段１３５、Ｇ信号レベル変換手段１３６、Ｂ信号レベル変換手段１３７、第１の選択手段１３８、第２の選択手段１３９、第３の選択手段１４０、白成分検出手段１０７、白表示素子駆動手段１０８、白表示部１０９、ＲＧＢ表示素子駆動手段１１０、及びＲＧＢ表示部１１１から構成される。
【０２４４】
色成分分離検出手段１３４は、入力されてくるＲＧＢ信号に黄色成分が含まれているかいないかを示す黄色成分検出信号を出力し、また、入力されてくるＲＧＢ信号にマジェンダ色成分が含まれているかいないかを示すマジェンダ色成分検出信号を出力し、また、入力されてくるＲＧＢ信号にシアン色成分が含まれているかいないかを示すシアン色成分検出信号を出力する手段である。
【０２４５】
切換信号発生手段１０４は、実施の形態３で説明したものと同等のものである。
【０２４６】
Ｒ信号レベル変換手段１３５は、入力されてくるＲＧＢ信号のうちＲ信号に対して、シアン色成分の補色である赤色の信号レベルを低下させる第１の色補正と、赤色の信号レベルを増加させる第２の色補正とを行い、切換信号発生手段１０４から出力された切換信号に基づいて、第１の色補正、及び第２の色補正のうちいずれかの色補正で色補正されたＲ信号を出力する手段である。
【０２４７】
Ｇ信号レベル変換手段１３６は、入力されてくるＲＧＢ信号のうちＧ信号に対して、マジェンダ色成分の補色である緑色の信号レベルを低下させる第１の色補正と、緑色の信号レベルを増加させる第２の色補正とを行い、切換信号発生手段１０４から出力された切換信号に基づいて、第１の色補正、及び第２の色補正のうちいずれかの色補正で色補正されたＧ信号を出力する手段である。
【０２４８】
Ｂ信号レベル変換手段１３７は、入力されてくるＲＧＢ信号のうちＢ信号に対して、黄色成分の補色である青色の信号レベルを低下させる第１の色補正と、青色の信号レベルを増加させる第２の色補正とを行い、切換信号発生手段１０４から出力された切換信号に基づいて、第１の色補正、及び第２の色補正のうちいずれかの色補正で色補正されたＢ信号を出力する手段である。
【０２４９】
尚、Ｂ信号レベル変換手段１３７は、実施の形態３の表示装置１１２の第１の信号レベル変換処理手段１０２、第２の信号レベル変換処理手段１０３、及び第１の選択手段１０５に相当する。
【０２５０】
また、Ｒ信号レベル変換手段１３５は、実施の形態３の表示装置１１２の第１の信号レベル変換処理手段１０２、第２の信号レベル変換処理手段１０３、及び第１の選択手段１０５において、第１の信号レベル変換処理手段１０２、及び第２の信号レベル変換処理手段１０３が、青色に対して行った色補正と同等の色補正を、赤色に最適化した変換テーブルを用いて赤色に対して行う場合に相当する。
【０２５１】
また、Ｇ信号レベル変換手段１３６は、実施の形態３の表示装置１１２の第１の信号レベル変換処理手段１０２、第２の信号レベル変換処理手段１０３、及び第１の選択手段１０５において、第１の信号レベル変換処理手段１０２、及び第２の信号レベル変換処理手段１０３が、青色に対して行った色補正と同等の色補正を、緑色に最適化した変換テーブルを用いて緑色に対して行う場合に相当する。
【０２５２】
第１の選択手段１３８は、色成分分離検出手段１３４のシアン色成分検出信号すなわちシアン色成分の検出結果に基づいて、Ｒ信号レベル変換手段１３５から出力されたＲ信号、及び表示装置１４１に入力されてくるＲＧＢ信号のうちのＲ信号のいずれかを選択して出力する手段である。
【０２５３】
第２の選択手段１３９は、色成分分離検出手段１３４のマジェンダ色成分検出信号すなわちマジェンダ色成分の検出結果に基づいて、Ｇ信号レベル変換手段１３６から出力されたＧ信号、及び表示装置１４１に入力されてくるＲＧＢ信号のうちのＧ信号のいずれかを選択して出力する手段である。
【０２５４】
第３の選択手段１４０は、色成分分離検出手段１３４の黄色成分検出信号すなわち黄色成分の検出結果に基づいて、Ｂ信号レベル変換手段１３７から出力されたＢ信号、及び表示装置１４１に入力されてくるＲＧＢ信号のうちのＢ信号のいずれかを選択して出力する手段である。
【０２５５】
また、白成分検出手段１０７、白表示素子駆動手段１０８、白表示部１０９、ＲＧＢ表示素子駆動手段１１０、及びＲＧＢ表示部１１１については、背景技術で説明したものと同様であるので、説明を省略する。
【０２５６】
尚、本発明の色検出手段の一例は、本実施の形態４では色成分分離検出手段１３４に相当する。又、本発明の色補正手段の一例は、実施の形態４ではＲ信号レベル変換手段１３５、Ｇ信号レベル変換手段１３６、及びＢ信号レベル変換手段１３７から実施の形態３で述べた第１の選択手段１０５に相当する部分を除いた部分に相当する。又、本発明の制御手段の一例は、本実施の形態４では切換信号発生手段１０４、第１の選択手段１３８、第２の選択手段１３９、第３の選択手段１４０、及び実施の形態３で述べた第１の選択手段１０５に相当する部分に相当する。又、本発明の表示手段の一例は、本実施の形態４では白成分検出手段１０７、白表示素子駆動手段１０８、白表示部１０９、ＲＧＢ表示素子駆動手段１１０、及びＲＧＢ表示部１１１に相当する。
【０２５７】
又、本発明の３原色の一例は、本実施の形態４ではＲ（赤）色、Ｇ（緑）色、Ｂ（青）色に相当する。本発明の色信号の一例は、本実施の形態４ではＲＧＢ信号に相当し、本発明の所定の色成分の一例は、本実施の形態４では黄色、マジェンダ色、及びシアン色に相当する。
【０２５８】
それ以外の点については、実施の形態２と同様であるので説明を省略する。
【０２５９】
次に、このような本実施の形態４の表示装置の動作を説明するとともに本発明の表示方法の一例についても説明する。なお、実施の形態２と同一の点については、詳細な説明を省略する。
【０２６０】
パーソナルコンピュータやＤＶＤ装置やテレビ受信装置など表示装置１４１に映像を表示する装置から入力されてくるＲＧＢ信号は、色成分分離検出手段１３４に入力される。また、その入力されてくるＲＧＢ信号のうちのＲ信号は、Ｒ信号レベル変換手段１３５と第１の選択手段１３８に入力され、その入力されてくるＲＧＢ信号のうちのＧ信号は、Ｇ信号レベル変換手段１３６と第２の選択手段１３９に入力され、その入力されてくるＲＧＢ信号のうちのＢ信号は、Ｂ信号レベル変換手段１３７と第３の選択手段１４０に入力される。
【０２６１】
色成分分離検出手段１３４は、入力されてくるＲＧＢ信号にシアン色成分が含まれている場合には、第１の選択手段１３８に、シアン色成分検出信号として、１を出力し、入力されてくるＲＧＢ信号にシアン色成分が含まれていない場合には、第１の選択手段１３８に、シアン色成分検出信号として、０を出力する。
【０２６２】
また、色成分分離検出手段１３４は、入力されてくるＲＧＢ信号にマジェンダ色成分が含まれている場合には、第２の選択手段１３９にマジェンダ色成分検出信号として１を出力し、入力されてくるＲＧＢ信号にマジェンダ色成分が含まれていない場合には、第２の選択手段１３９にマジェンダ色成分検出信号として０を出力する。
【０２６３】
また、色成分分離検出手段１３４は、入力されてくるＲＧＢ信号に黄色成分が含まれている場合には、第３の選択手段１４０に黄色成分検出信号として１を出力し、入力されてくるＲＧＢ信号に黄色成分が含まれていない場合には、第３の選択手段１４０に黄色成分検出信号として０を出力する。これら、色成分分離検出手段１３４による、シアン色、マジェンダ色、及び黄色の検出が、本発明の色検出ステップの一例に相当する。
【０２６４】
一方、Ｒ信号レベル変換手段１３５は、入力されてくるＲ信号に対して、シアン色成分の補色である赤色の信号レベルを低下させる第１の色補正と、赤色の信号レベルを増加させる第２の色補正とを行う。そして、切換信号発生手段１０４から出力された切換信号に基づいて、第１の色補正、及び第２の色補正のうちいずれかの色補正で色補正されたＲ信号を第１の選択手段１３８に出力する。
【０２６５】
そして、第１の選択手段１３８は、色成分分離検出手段１３４から出力されたシアン色成分検出信号が１すなわちシアン色成分が表示装置１４１に入力されてくるＲＧＢ信号に含まれている場合には、Ｒ信号レベル変換手段１３５から出力されたＲ信号を選択して白成分検出手段１０７及びＲＧＢ表示素子駆動手段１１０に出力する。一方、第１の選択手段１３８は、色成分分離検出手段１３４から出力されたシアン色成分検出信号が０すなわちシアン色成分が表示装置１４１に入力されてくるＲＧＢ信号に含まれていない場合には、表示装置１４１に入力されてくるＲＧＢ信号のうちのＲ信号を選択して白成分検出手段１０７及びＲＧＢ表示素子駆動手段１１０に出力する。
【０２６６】
Ｇ信号レベル変換手段１３６は、入力されてくるＧ信号に対して、マジェンダ色成分の補色である緑色の信号レベルを低下させる第１の色補正と、緑色の信号レベルを増加させる第２の色補正とを行う。そして、切換信号発生手段１０４から出力された切換信号に基づいて、第１の色補正、及び第２の色補正のうちいずれかの色補正で色補正されたＧ信号を第２の選択手段１３９に出力する。
【０２６７】
そして、第２の選択手段１３９は、色成分分離検出手段１３４から出力されたマジェンダ色成分検出信号が１すなわちマジェンダ色成分が表示装置１４１に入力されてくるＲＧＢ信号に含まれている場合には、Ｇ信号レベル変換手段１３６から出力されたＧ信号を選択して白成分検出手段１０７及びＲＧＢ表示素子駆動手段１１０に出力する。一方、第２の選択手段１３９は、色成分分離検出手段１３４から出力されたマジェンダ色成分検出信号が０すなわちマジェンダ色成分が表示装置１４１に入力されてくるＲＧＢ信号に含まれていない場合には、表示装置１４１に入力されてくるＲＧＢ信号のうちのＧ信号を選択して白成分検出手段１０７及びＲＧＢ表示素子駆動手段１１０に出力する。
【０２６８】
Ｂ信号レベル変換手段１３７は、入力されてくるＢ信号に対して、黄色成分の補色である青色の信号レベルを低下させる第１の色補正と、青色の信号レベルを増加させる第２の色補正とを行う。そして、切換信号発生手段１０４から出力された切換信号に基づいて、第１の色補正、及び第２の色補正のうちいずれかの色補正で色補正されたＢ信号を第３の選択手段１４０に出力する。
【０２６９】
そして、第３の選択手段１４０は、色成分分離検出手段１３４から出力された黄色成分検出信号が１すなわち黄色成分が表示装置１４１に入力されてくるＲＧＢ信号に含まれている場合には、Ｂ信号レベル変換手段１３７から出力されたＢ信号を選択して白成分検出手段１０７及びＲＧＢ表示素子駆動手段１１０に出力する。一方、第３の選択手段１４０は、色成分分離検出手段１３４から出力された黄色成分検出信号が０すなわち黄色成分が表示装置１４１に入力されてくるＲＧＢ信号に含まれていない場合には、表示装置１４１に入力されてくるＲＧＢ信号のうちのＢ信号を選択して白成分検出手段１０７及びＲＧＢ表示素子駆動手段１１０に出力する。上述したＲ信号レベル変換手段１３５、Ｇ信号レベル変換手段１３６、及びＢ信号レベル変換手段による、各々の第１の色補正及び第２の色補正が、本発明の色補正ステップの一例に相当する。又、切替信号と色成分分離検出手段１３４からの信号に基づいて、Ｒ信号、Ｇ信号、Ｂ信号の各信号において第１の色補正がされた信号、若しくは第２の色補正がされた信号、又は入力された信号のいずれかを選択することが、本発明の制御ステップの一例に相当する。
【０２７０】
白成分検出手段１０７、白表示素子駆動手段１０８、白表示部１０９、ＲＧＢ表示素子駆動手段１１０、ＲＧＢ表示部１１１の動作は背景技術で説明したものと同様である。
【０２７１】
このようにして、表示画面に映像が表示される。
【０２７２】
ここで、黄色成分とマジェンダ色成分とをともに含むＲＧＢ信号や、黄色成分とシアン色成分とをともに含むＲＧＢ信号や、マジェンダ色成分とシアン色成分とをともに含むＲＧＢ信号は存在しないので、黄色成分検出信号、マジェンダ色成分検出信号、シアン色成分検出信号の２つ以上が１をとることはない。すなわち、黄色成分検出信号、マジェンダ色成分検出信号、シアン色成分検出信号の値は、全て０になるか、いずれか一つの信号のみが１をとる場合しかない。
【０２７３】
従って、切換信号発生手段１０４として、図９の切換信号発生手段１０４を用いることにより、次のように表示される。すなわち、表示画面で黄色成分またはマジェンダ色成分またはシアン色成分が含まれている領域は、彩度が増加されたＲＧＢ信号と、白色成分が増加されたＲＧＢ信号とで、例えば縦２画素×横２画素の領域をひとかたまりとした市松模様で交番表示されるとともに、一つの画素に着目すると、フレーム毎に彩度が増加されたＲＧＢ信号と、白色成分が増加されたＲＧＢ信号とで交番表示されるようになる。
【０２７４】
このように、入力されたＲＧＢ信号に黄色成分またはマジェンダ色成分またはシアン色成分が含まれている表示画面の領域、すなわち入力されたＲＧＢ信号に黄色成分またはマジェンダ色成分またはシアン色成分を有する画素が隣接して複数個存在する表示画面の領域は、例えば縦２画素×横２画素の領域をひとかたまりとした市松模様で交番表示されることになる。
【０２７５】
このように、入力されたＲＧＢ信号に黄色成分またはマジェンダ色成分またはシアン色成分が含まれている表示画面の領域に、彩度が増加されたＲＧＢ信号と、白色成分が増加されたＲＧＢ信号とのいずれかを利用してその領域の画素毎に表示を行うことにより、その表示面の領域に彩度の高低が付けられる。
【０２７６】
なお、表示画面で黄色成分またはマジェンダ色成分またはシアン色成分が含まれている領域は、例えば縦２画素×横２画素の領域をひとかたまりとした市松模様で交番表示し、フレーム毎に交番表示しなくても構わない。また、このような領域は、一つのフレームでは、彩度が増加されたＲＧＢ信号及び白色成分が増加されたＲＧＢ信号のいずれかで表示し、フレーム毎に彩度が増加されたＲＧＢ信号と白色成分が増加されたＲＧＢ信号とで交番表示しても構わない。
【０２７７】
ただし一つのフレームでは、彩度が増加されたＲＧＢ信号及び白色成分が増加されたＲＧＢ信号のいずれかで表示し、フレーム毎に彩度が増加されたＲＧＢ信号と白色成分が増加されたＲＧＢ信号とで交番表示する場合には、１秒間に表示するフレームの数が少ないと、フリッカーが発生するので、１秒間に表示するフレームの数を十分大きくする必要がある。尚、本実施の形態４では、特定の画素に着目した場合、フレーム毎に黄色の画素１１５と白色の画素１１６が切り替えられて表示されていたが、インターレース方式の場合、フィールド単位で行っても良い。例えば、奇数フィールドと偶数フィールドによって１フレームが表示される場合には、特定の画素の切替は２フィールド毎に行われることになる。
【０２７８】
上述したように、実施の形態３では、明るい黄色（彩度が低い黄色）すなわちパステルイエローが、その映像部分が白色に囲まれていたり、白色に隣接したりしていても、緑色がかって見えるなどの、見た目の色が異なって見える違和感を減少することが出来た。
【０２７９】
又、実施の形態４では、明るい黄色（彩度が低い黄色）すなわちパステルイエローのみならず、明るいマジェンダ色（彩度が低いマジェンダ色）すなわちパステルマジェンダ色、及び明るいシアン色（彩度が低いシアン色）すなわちパステルシアン色についても、その映像部分が白色に囲まれていたり、白色に隣接したりしていても、見た目の色が異なって見える違和感を減少することが出来る。
【０２８０】
なお、本実施の形態４では、黄色、マジェンダ色、及びシアン色の見た目の違和感を減少させるとして説明したが、これら３つの色のうちの２つまたは１つの色の見た目の違和感を減少させることも可能である。例えば、マジェンダ色のみの見た目の違和感を減少させる場合には、Ｒ信号レベル変換手段１３５、第１の選択手段１３８、Ｂ信号レベル変換手段１３７、及び第３の選択手段１４０を備えなくても構わない。
【０２８１】
（実施の形態５）
次に、実施の形態５について説明する。
【０２８２】
実施の形態５では、表示部分が所定の条件を満たしているかどうかに応じて色補正を行うことによって、明るい黄色（彩度が低い黄色）すなわちパステルイエローが、その表示部分が白色に囲まれていたり、白色に隣接したりしていても、緑色がかって見えるなどの、見た目の色が異なって見える違和感を減少することが出来る表示装置について説明する。
【０２８３】
図１４は、実施の形態５の表示装置２１２の構成を示すブロック図である。
【０２８４】
表示装置２１２は、色成分分離検出手段２０１、第１の信号レベル変換処理手段２０２、第２の信号レベル変換処理手段２０３、第１の切換信号発生手段２０４、第１の選択手段２０５、第２の選択手段２０６、白成分検出手段２０７、白表示素子駆動手段２０８、白表示部２０９、ＲＧＢ表示素子駆動手段２１０、ＲＧＢ表示部２１１、パターン検出手段２１３、及び演算部２１４から構成されている。
【０２８５】
色成分分離検出手段２０１は、入力されてくるＲＧＢ信号に黄色成分が含まれている場合には、その黄色成分を分離検出する手段である。
【０２８６】
第１の信号レベル変換処理手段２０２は、入力されてくるＲＧＢ信号のうちＢ信号を入力し、そのＢ信号に対して、黄色成分の補色である青色の信号レベルを低下させる変換を行う手段である。
【０２８７】
第２の信号レベル変換処理手段２０３は、入力されてくるＲＧＢ信号のうちＢ信号を入力し、そのＢ信号に対して、黄色成分の補色である青色の信号レベルを増加させる変換を行う手段である。
【０２８８】
第１の切換信号発生手段２０４は、第１の選択手段２０５が、第１の信号レベル変換処理手段２０２から出力されたＢ信号、及び第２の信号レベル変換処理手段２０３から出力されたＢ信号のいずれかを選択するための信号を出力する手段である。
【０２８９】
第１の選択手段２０５は、第１の信号レベル変換処理手段２０２から出力されたＢ信号、及び第２の信号レベル変換処理手段２０３から出力されたＢ信号のいずれかを、第１の切換信号発生手段２０４から出力されてくる信号に基づいて選択して出力する手段である。
【０２９０】
第２の選択手段２０６は、演算部２１４の出力に基づいて、第１の選択手段２０５から出力されたＢ信号、及び表示装置２１２に入力されてくるＲＧＢ信号のうちのＢ信号のいずれかを選択して出力する手段である。
【０２９１】
パターン検出手段２１３は、複数の画素に表示される入力信号が、所定の条件を満たしているか否かを検出する手段である。
【０２９２】
演算部２１４は、色成分分離検出手段２０１の黄色成分の検出結果とパターン検出手段２１３の結果を入力とし、論理演算を行う手段である。
【０２９３】
また、白成分検出手段２０７、白表示素子駆動手段２０８、白表示部２０９、ＲＧＢ表示素子駆動手段２１０、及びＲＧＢ表示部２１１については、背景技術で説明したものと同様であるので、説明を省略する。
【０２９４】
尚、本発明の色検出手段の一例は、本実施の形態５では色成分分離検出手段２０１に相当する。又、本発明の色補正手段の一例は、本実施の形態５では第１の信号レベル変換処理手段、第２の信号レベル変換処理手段に相当する。又、本発明の判定手段の一例は、本実施の形態５ではパターン検出手段２１３に相当し、本発明の制御手段の一例は、本実施の形態５では演算部２１４、第１の切替信号発生手段２０４、第１の選択手段、及び第２の選択手段２０６に相当する。又、本発明の表示部の一例は、本実施の形態５の白成分検出手段２０７、白表示素子駆動手段２０８、白表示部２０９、ＲＧＢ表示素子駆動手段２１０、及びＲＧＢ表示部２１１に相当する。
【０２９５】
又、本実施の形態５のＲ（赤）色、Ｇ（緑）色、Ｂ（青）色は本発明の３原色の一例であり、本実施の形態５のＲＧＢ信号は本発明の色信号の一例であり、本実施の形態５の黄色は本発明の所定の色成分の一例である。
【０２９６】
次に、上記構成の本実施の形態５における表示装置の動作とともに本発明の表示方法の一例についても同時に説明する。
【０２９７】
パーソナルコンピュータやＤＶＤ装置やテレビ受信装置など表示装置２１２に映像を表示する装置から入力されてくるＲＧＢ信号は、色成分分離検出手段２０１及びパターン検出手段２１３に入力される。また、その入力されてくるＲＧＢ信号のうち、Ｂ信号は、第１の信号レベル変換処理手段２０２、第２の信号レベル変換処理手段２０３、及び第２の選択手段２０６に入力される。また、その入力されてくるＲＧＢ信号のうちＲ信号及びＧ信号は、白成分検出手段２０７、及びＲＧＢ表示素子駆動手段２１０に入力される。
【０２９８】
色成分分離検出手段２０１は、入力されてくるＲＧＢ信号が黄色成分が含まれているかどうかを検出する（本発明の色検出ステップの一例に相当する。）。
【０２９９】
図５に、ＲＧＢ信号の一例を示す。赤色を表すＲ信号は、緑色を表すＧ信号、及び青色を表すＢ信号は、それぞれ０から２５５までの２５６通りの値を取りうる信号であり、この値が大きいほど高い輝度の色を表す。図５のＲＧＢ信号には、緑成分３１、黄色成分３２、及び白色成分３３が含まれている。
【０３００】
ＲＧＢ信号から黄色成分を検出することは、Ｒ信号の値とＧ信号の値とがともにＢ信号の値より大きい場合を検出することにより行うことが出来る。すなわち、Ｒ信号の値とＧ信号の値とがともにＢ信号の値より大きい場合にはＲＧＢ信号に黄色成分が含まれていることになる。
【０３０１】
色成分分離検出手段２０１は、ＲＧＢ信号に黄色成分が含まれている場合には、１を出力し、ＲＧＢ信号に黄色成分が含まれていない場合には、０を出力する。そして、色成分分離検出手段２０１の出力は、演算部２１４に入力される。
【０３０２】
パターン検出手段２１３は、複数の画素に表示される入力信号が、所定の条件を満たしていない場合には、１を出力し、満たしている場合には、０を出力する（本発明の判定ステップの一例に相当する。）。そして、パターン検出手段２１３の出力は、演算部２１４に入力される。なお、パターン検出手段２１３の動作については後述する。
【０３０３】
演算部２１４は、色成分分離検出手段２０１の黄色成分の検出結果とパターン検出手段２１３の検出結果のＡＮＤを出力し、第２の選択手段２０６に入力される。
【０３０４】
一方、第１の信号レベル変換処理手段２０２は、表示装置２１２に入力されたＲＧＢ信号のうちＢ信号を入力し、黄色成分の補色である青色の信号レベルを低下させる変換を行う。言い換えると、第１の信号レベル変換処理手段２０２は、表示装置２１２に入力されたＲＧＢ信号に黄色成分が含まれている場合には、彩度を増加させる変換を行う。
【０３０５】
図２（ａ）に、第１の信号レベル変換処理手段２０２がＢ信号に対して行う変換処理を示す。すなわち、図２（ａ）の横軸は、第１の信号レベル変換処理手段２０２に入力されるＢ信号の値を示し、縦軸は、第１の信号レベル変換処理手段２０２によって変換処理が行われた後のＢ信号の値を示す。第１の信号レベル変換処理手段２０２は、図２（ａ）に示す変換処理を行うための変換テーブルを予め保持しており、その変換テーブルを用いて図２（ａ）の変換処理を行う。なお、第１の信号レベル変換処理手段２０２は、変換テーブルを用いて図２（ａ）に示す変換処理を行うとして説明したが、これに限らない。例えば、ハードウェアやソフトウェアによる演算処理によって図２（ａ）に示す変換処理を行うなど、変換テーブル以外の方法を用いて図２（ａ）の変換処理を行っても構わない。
【０３０６】
図２（ａ）から明らかなように、第１の信号レベル変換処理手段２０２に入力されるＢ信号の値が所定の値より小さいときは、第１の信号レベル変換処理手段２０２から出力されるＢ信号の値は０になる。そして、第１の信号レベル変換処理手段２０２に入力されるＢ信号の値がその所定の値より大きい場合には、第１の信号レベル変換処理手段２０２から出力されるＢ信号の値は、０より大きい値になるが、第１の信号レベル変換処理手段２０２に入力されるＢ信号の値よりは小さい値になる。
【０３０７】
このように、第１の信号レベル変換処理手段２０２は、図２（ａ）に示すように入力されてくるＢ信号の値を変換するので、第１の信号レベル変換処理手段２０２を用いて出力されるＢ信号は、入力時のＲＧＢ信号に比べて、Ｂ信号の値が小さくなる。この第１の信号レベル変換処理手段２０２から出力されるＢ信号を第１のＢ信号とする。
【０３０８】
すなわち、表示装置２１２に入力されてくるＲＧＢ信号が、図５に示すように黄色成分３２を含む場合には、第１の信号レベル変換処理手段２０２から出力される第１のＢ信号と、表示装置２１２に入力されてくるＲ信号とＧ信号とで新たにＲＧＢ信号が構成される。その構成されたＲＧＢ信号は、黄色成分３２が増加し、白色成分３３が減少するため、表示装置２１２入力されてくるＲＧＢ信号に比べて彩度が増加した信号になる。この様に彩度を増加させる色補正が、本発明の第１の色補正の一例に相当し、この彩度が増加したＲＧＢ信号を第１のＲＧＢ信号とし、本発明の第１の色信号の一例に相当する。
また、第２の信号レベル変換処理手段２０３は、表示装置２１２に入力されたＲＧＢ信号のうちＢ信号に対して、黄色成分の補色である青色の信号レベルを増加させる変換を行う。言い換えると、第２の信号レベル変換処理手段２０３は、表示装置２１２に入力されたＲＧＢ信号に黄色成分が含まれている場合には、白色成分を増加させる変換を行う。
【０３０９】
図２（ｂ）に、第２の信号レベル変換処理手段２０３がＢ信号に対して行う変換処理を示す。すなわち、図２（ｂ）の横軸は、第２の信号レベル変換処理手段２０３に入力されるＢ信号の値を示し、縦軸は、第３の信号レベル変換処理手段２０３によって変換処理が行われた後のＢ信号の値を示す。第２の信号レベル変換処理手段２０３は、図２（ｂ）に示す変換処理を行うための変換テーブルを予め保持しており、その変換テーブルを用いて図２（ｂ）の変換処理を行う。なお、第２の信号レベル変換処理手段２０３は、変換テーブルを用いて図２（ｂ）に示す変換処理を行うとして説明したが、これに限らない。例えば、ハードウェアやソフトウェアによる演算処理によって図２（ｂ）に示す変換処理を行うなど、変換テーブル以外の方法を用いて図２（ｂ）の変換処理を行っても構わない。
【０３１０】
第２の信号レベル変換処理手段２０３は、図２（ｂ）に示すように入力されてくるＢ信号の値を変換するので、第２の信号レベル変換処理手段２０３から出力される第２のＢ信号は、入力時のＢ信号に比べて、Ｂ信号の値がより大きくなる。すなわち、表示装置２１２に入力されてくるＲＧＢ信号が黄色成分３２を含む場合には、第２の信号レベル変換処理手段２０３から出力されるＢ信号を表示装置２１２に入力されてくるＲ信号及びＧ信号と合成して新たにＲＧＢ信号が構成される。その構成されたＲＧＢ信号は、表示装置２１２に入力されてくるＲＧＢ信号に比べて白色成分が増加した信号になる。尚、第２の信号レベル変換処理手段２０３から出力されるＢ信号を第２のＢ信号とする。又、白色成分を増加させる色補正が、本発明の第２の色補正の一例に相当し、この白色成分が増加したＲＧＢ信号を第２のＲＧＢ信号とし、本発明の第２の色信号の一例に相当する。又、第１の信号レベル変換処理手段２０２及び第２の信号レベル変換処理手段２０３によるＢ信号のレベルの変換が、本発明の色補正ステップの一例に相当する。
【０３１１】
第１の切換信号発生手段２０４は、表示装置２１２のＲＧＢ表示素子駆動手段２１０及び白表示素子駆動手段２０８がＲＧＢ表示部２１１及び白表示部２０９を駆動するタイミングを決定するためのドットクロック、水平同期信号、及び垂直同期信号を利用して、切換信号を発生して第１の選択手段２０５に出力する。この切換信号は１または０のいずれかの値を取る信号である。なお、第１の切換信号発生手段２０４の動作については後述する。
【０３１２】
第１の選択手段２０５は、第１の切換信号発生手段２０４から出力された切換信号の値が１の場合には、第１の信号レベル変換処理手段２０２から出力された第１のＢ信号を選択して、第２の選択手段２０６に出力し、切換信号の値が０の場合には、第２の信号レベル変換処理手段２０３から出力された第２のＢ信号を選択して、第２の選択手段２０６に出力する。
【０３１３】
第２の選択手段２０６は、演算部２１４が出力した信号の値が１である場合、すなわち、黄色成分が含まれ、且つ所定の条件を満たしていない場合には、第１の選択手段２０５から出力された第１のＢ信号又は第２のＢ信号を選択して、ＲＧＢ表示素子駆動手段２１０、及び白成分検出手段２０７に出力する。
【０３１４】
また、第２の選択手段２０６は、演算部２１４が出力した信号の値が０である場合、すなわち、黄色成分が含まれず、又は、所定の条件を満たしている場合には、表示装置２１２に入力されたＢ信号を変換処理することなく、ＲＧＢ表示素子駆動手段２１０、及び白成分検出手段２０７に出力する。この変換処理することなく出力されるＢ信号を第３のＢ信号とする。又、この変換処理されていないＢ信号と表示装置２１２に入力されてくるＲ信号とＧ信号によって構成されるＲＧＢ信号を第３の色信号とし、本発明の色補正がされていない色信号の一例に相当する。又、上述した切替信号による第１のＢ信号又は第２のＢ信号の選択と、第２の選択手段２０６による、第１のＢ信号若しくは第２のＢ信号、又は第３のＢ信号の選択が、本発明の制御ステップの一例に相当する。
【０３１５】
すなわち、ＲＧＢ表示素子駆動手段２１０及び白成分検出手段２０７には、表示装置２１２に入力されてくるＲ信号及びＧ信号と、第２の選択手段２０６から出力された第１〜３のいずれかのＢ信号とが入力される。そして、白成分検出手段２０７及びＲＧＢ表示素子駆動手段２１０は、これらのＲ信号、Ｇ信号、及びＢ信号を新たなＲＧＢ信号として処理を行う。
【０３１６】
また、白成分検出手段２０７、白表示素子駆動手段２０８、白表示部２０９、ＲＧＢ表示素子駆動手段２１０、ＲＧＢ表示部２１１の動作は背景技術で説明したものと同様である。
【０３１７】
上述したように、表示画面に映像が表示される。
【０３１８】
ところで、第１の切換信号発生手段２０４が出力する切換信号は、例えば、ある画素に対して切換信号の値が１である場合には、その画素の水平方向に隣接する画素では、切換信号の値が０になり、さらに水平方向に次に隣接する画素では、切換信号の値が１になるような信号である。すなわち、水平方向の画素列に着目すると、切換信号は、交互に０と１とをとる。同様に垂直方向の画素列に着目すると、切換信号は、交互に０と１をとる。
【０３１９】
従って、入力されたＲＧＢ信号に黄色成分が含まれている表示画面の領域、すなわち入力されたＲＧＢ信号に黄色成分を有する画素が隣接して複数個存在する表示画面の領域では、図１５のように、第１のＲＧＢ信号が表示された黄色の画素２１８、及び第２のＲＧＢ信号が表示された白の画素２１９とが交番表示（市松模様のパターンで表示）されることになる。
【０３２０】
このように、表示装置２１２は、入力されたＲＧＢ信号に黄色成分が含まれている表示画面の領域に、彩度が増加された第１のＲＧＢ信号と、白色成分が増加された第２のＲＧＢ信号とのいずれかを利用してその領域の画素毎に表示を行うことにより、その表示面の領域に彩度の高低をつける。
【０３２１】
従って、例えば明るい黄色（彩度が低い黄色）すなわちパステルイエローが、より彩度が増加された黄色の画素２１８とより白色成分が増加された白の画素２１９とで表示されることになる。そのため、人間の目の積分効果により、人間の目には明るい黄色（彩度が低い黄色）すなわちパステルイエローが表示されていると感じられることになる。
【０３２２】
さらに、明るい黄色（彩度が低い黄色）すなわちパステルイエローを、より彩度が増加された黄色と、より白色成分が増加された黄色との交番表示で表示することによって、その映像部分の明るさを増加することが出来るので、その映像部分が白色に囲まれていたり、白色に隣接したりしていても、緑色がかって見えるなどの、見た目の色が異なって見える違和感を減少することが出来る。
【０３２３】
なお、図１５では、入力されたＲＧＢ信号に黄色成分が含まれている表示画面の領域を、黄色の画素２１８及び白の画素２１９とを画素毎に交番表示して明るい黄色（彩度が低い黄色）すなわちパステルイエローを表したが、時間的に交番表示しても同等の効果を得ることが出来る。すなわち、ある画素が、第１のＲＧＢ信号で表示されている場合、次のフレームを表示する際には、第２のＲＧＢ信号で表示するなどすることができる。
【０３２４】
フレーム毎に第１のＢ信号と第２のＢ信号を切り替えることにより、第１のＲＧＢ信号と第２のＲＧＢ信号をフレーム毎に時間的に切り替えて表示するようにしても、上述したような見た目の色が異なって見える違和感等を減少することができる。このように第１のＲＧＢ信号と第２のＲＧＢ信号を時間的に切り替えて表示することが、本発明の制御の一例に相当する。
【０３２５】
次に、前述したように、第１の切換信号発生手段２０４について説明する。
【０３２６】
図１６（ａ）に第１の切換信号発生手段２０４の構成例を示す。第１の切換信号発生手段２０４は、１／２分周器２２０、１／２分周器２２１、１／２分周器２２２、及び演算手段２３１から構成される。
【０３２７】
１／２分周器２２０は、白表示素子駆動手段２０８やＲＧＢ表示素子駆動手段２１０が、画素毎の表示のタイミングを決定するために入力されたドットクロック信号２６８を、１／２分周して、画素交番信号２２３を出力する手段である。
【０３２８】
１／２分周器２２１は、白表示素子駆動手段２０８やＲＧＢ表示素子駆動手段２１０が、１水平期間毎の表示のタイミングを決定するために入力された水平同期信号２６９を、１／２分周して、ライン交番信号２２４を出力する手段である。
【０３２９】
１／２分周器２２２は、白表示素子駆動手段２０８やＲＧＢ表示素子駆動手段２１０が、１フレーム毎の表示のタイミングを決定するために入力された垂直同期信号２７０を、１／２分周して、フレーム交番信号２２５を出力する手段である。
【０３３０】
演算手段２３１は、画素交番信号２２３、ライン交番信号２２４、及びフレーム交番信号２２５の排他的論理和を求め、求めた排他的論理和を切換信号２２６として出力する手段である。
【０３３１】
すなわち、ドットクロック信号２６８は、１／２分周器２２０に入力され、１／２分周器２２０は、ドットクロック信号２６８を分周し、画素交番信号２２３を出力する。
【０３３２】
また、水平同期信号２６９は、１／２分周器２２０及び１／２分周器２２１に入力される。１／２分周器２２０は、水平同期信号２６９が入力されたタイミングで、初期状態に再設定される。また、１／２分周器２２１は、水平同期信号２６９を分周して、ライン交番信号２２４を出力する。
【０３３３】
また、垂直同期信号２７０は、１／２分周器２２１、及び１／２分周器２２２に入力される。１／２分周器２２１は、垂直同期信号２７０が入力されると、初期状態に再設定される。また、１／２分周器２２２は、垂直同期信号２７０を１／２分周して、フレーム交番信号２２５を出力する。
【０３３４】
演算手段２３１は、画素交番信号２２３、ライン交番信号２２４、及びフレーム交番信号２２５を入力し、それらの排他的論理和を求め、切換信号２２６として出力する。
【０３３５】
１／２分周器２２０及び１／２分周器２２１は、ドットクロック信号２６８と水平同期信号２６９とをそれぞれ１／２分周するため、切換信号２２６は、各フレーム毎に市松模様のパターンを表すものとなる。このように、切替信号２２６は、画素毎の表示のタイミングを決定するために入力されたドットクロック信号２６８を利用した信号である。
【０３３６】
図１６（ａ）の第１の切換信号発生手段２０４を用いることにより、第１の選択手段２０５で第１のＢ信号又は第２のＢ信号が画素単位で切替られて選択されるため、表示画面で黄色成分が含まれている領域は、画素単位毎に第１の色信号または第２の色信号が空間的に交互に表示されることになる。
【０３３７】
また、特定の画素に着目すると、表示画面で黄色成分が含まれている場合は、第１の色信号と第２の色信号とがフレーム毎に切り替えられて表示されることになる。
【０３３８】
図１７に切換信号２２６の出力結果例を示す。
【０３３９】
表示領域２３３はパステル黄の画素２３２を含む領域であり、表示領域２３４は第１の切換信号発生手段２０４により表示されるあるフレーム時の表示領域であり、表示領域２３５は第１の切換信号発生手段２０４により表示される表示領域２３４の次のフレーム時の表示領域である。
【０３４０】
図１７に示すように、表示領域２３４及び表示領域２３５は黄色の画素２３６及び白の画素２３７とが市松模様で交番表示され、特定の画素に着目すると、表示領域２３４と表示領域２３５で黄色の画素２３６と白の画素２３７とが切り替えられて表示される。ここで、黄色の画素２３６は、彩度が増加するように変換処理された第１のＲＧＢ信号が表示されたものであり、白の画素２３７は、白成分が増加するように変換処理された第２のＲＧＢ信号が表示されたものである。
【０３４１】
又、表示領域が複数のパステル黄の画素２３２内に少数の黒の画素２４１を含む場合についても説明する。図１８の表示領域２６１は、複数のパステル黄の画素２３２内に少数の黒の画素２４１を含む領域を示している。又、表示領域２６２は、表示領域２６１のような表示がなされる色信号を表示装置２１２で表示した、あるフレーム時の表示領域である。又、表示領域２６３は、表示領域２６２の次のフレーム時の表示領域を示している。
【０３４２】
この表示領域２６１に表示される複数の色信号について、所定の条件を満たしていない場合、第１のＢ信号又は第２のＢ信号が交互に第１の選択手段２０５で選択され、黄色の成分を含んでいない黒色信号については、補正がされていない第３のＢ信号が第２の選択手段２０６で選択され、Ｒ信号及びＧ信号と組み合わされて表示される。
【０３４３】
ここで、第１の選択手段による第１又は第２のＢ信号の選択は画素単位毎に行われるため、第２の選択手段２０６で第３のＢ信号が選択され、表示される場合にも行われている。そのため表示装置２１２は、表示領域２６２に示されるように、仮に黒の画素２４１がなく表示領域２６１に表示される色信号が全て黄色成分を含んでいるとした状態で、黄色の画素２３６と白の画素２３７を交互に表示して、黒の画素２４１については、そのまま表示することになる。この表示領域２６２のように表示することが、本発明の制御の一例に相当する。
【０３４４】
また、図１６（ｂ）に第１の切換信号発生手段２０４の別の構成を示す。図１６（ｂ）の第１の切換信号発生手段２０４は、１／２分周器を２つ直列で接続した分周器２２７、２２７と同様に１／２分周器を２つ直列で接続した分周器２２８、１／２分周器２２９、及び演算手段２３１から構成される。
【０３４５】
分周器２２７は、白表示素子駆動手段２０８やＲＧＢ表示素子駆動手段２１０が画素毎の表示のタイミングを決定するために入力されたドットクロック信号２６８を、１／２分周を２回繰り返し、画素交番信号２２３として出力する手段である。
【０３４６】
分周器２２８は、白表示素子駆動手段２０８やＲＧＢ表示素子駆動手段２１０が１水平期間毎の表示のタイミングを決定するために入力された水平同期信号２６９を、１／２分周を２回繰り返し、ライン交番信号２２４として出力する手段である。
【０３４７】
１／２分周器２２２は、白表示素子駆動手段２０８やＲＧＢ表示素子駆動手段２１０が、１フレーム毎の表示のタイミングを決定するために入力された垂直同期信号２７０を、１／２分周して、フレーム交番信号２２５として出力する手段である。
【０３４８】
演算手段２３１は、画素交番信号２２３、ライン交番信号２２４、及びフレーム交番信号２２５の排他的論理和を求め、求めた排他的論理和を切換信号２３０として出力する手段である。
【０３４９】
すなわち、ドットクロック信号２６８は、分周器２２７に入力され、分周器２２７は、入力されたドットクロック信号２６８を利用して、１／２分周を２回繰り返し、発生した信号を画素交番信号２２３として出力する。
【０３５０】
また、水平同期信号２６９は、分周器２２７及び分周器２２８に入力される。分周器２２７は、水平同期信号２６９が入力されたタイミングで、初期状態に再設定される。また、分周器２２８は、水平同期信号２６９を利用して、１／２分周を２回繰り返し、ライン交番信号２２４を出力する。
【０３５１】
また、垂直同期信号２７０は、分周器２２８、及び１／２分周器２２９に入力される。分周器２２８は、垂直同期信号２７０が入力されると、初期状態に再設定される。また、１／２分周器２２９は、垂直同期信号２７０を１／２分周して、フレーム交番信号２２５を出力する。
【０３５２】
演算手段２３１は、画素交番信号２２３、ライン交番信号２２４、及びフレーム交番信号２２５を入力し、それらの排他的論理和を求め、切換信号２３０として出力する。
【０３５３】
図１９に切換信号２３０の出力結果例を示す。
【０３５４】
表示領域２３８はパステル黄の画素２３２を含む領域であり、表示領域２３９は第１の切換信号発生手段２０４により表示されるあるフレーム時の表示領域であり、表示領域２４０は第１の切換信号発生手段２０４により表示される表示領域２３９の次のフレーム時の表示領域である。
【０３５５】
図１９に示すように、表示領域２３９及び表示領域２４０は黄色の画素２３６及び白の画素２３７とが縦２画素×横２画素の領域をひとかたまりとした市松模様で交番表示され、特定の画素に着目すると、表示領域２３９と表示領域２４０で黄色の画素２３６と白の画素２３７とが切り替えられて表示される。
【０３５６】
尚、本実施の形態５では、特定の画素に着目した場合、フレーム毎に黄色の画素２３６と白の画素２３７が切り替えられて表示されていたが、インターレース方式の場合、フィールド単位で行っても良い。例えば、奇数フィールドと偶数フィールドによって１フレームが表示される場合には、特定の画素の切替は２フィールド毎に行われることになる。
【０３５７】
次に、前述したように、パターン検出手段２１３について説明するが、その前にパターン検出を行わない場合の課題について説明する。
【０３５８】
図１７のようにパステル黄の画素２３２を有する画素が隣接して複数個存在する表示領域２３３に、図１６（ａ）の切替信号２２６を用い第２の選択手段２０６の出力により表示した場合、パステル黄の画素２３２は黄色の画素２３６及び白の画素２３７とに変換され、表示領域２３４、表示領域２３５のように、黄色の画素２３６及び白の画素２３７とが市松模様で交番表示される。さらに表示領域２３４と表示領域２３５がフレームで交番するため、人間の目の積分効果により、黄色の画素２３６と白の画素２３７が合成された画像が見えることになる。
【０３５９】
一方、図２０に、パステル黄の画素２３２と黒の画素２４１で市松模様のパターンを構成する表示領域２４２に、図１６（ａ）の切替信号２２６を用い第２の選択手段２０６の出力により表示した例を示す。なお、パターン検出を行わない場合の課題について説明しているため、第２の選択手段２０６では、所定の色成分が検出された場合に、第１の選択手段２０５からの第１のＢ信号又は第２のＢ信号を選択し、所定の色成分が検出されない場合には、補正がされていない第３のＢ信号が選択されることになる。
【０３６０】
表示領域２４３は、切替信号２２６を用いて第２の選択手段２０６の出力により表示されるあるフレーム時の表示領域であり、表示領域２４４は表示領域２４３の次のフレーム時の表示領域である。
【０３６１】
図２０のように、元々パステル黄の画素２３２を有する画素が１画素おきに存在する場合、表示領域２４３のフレームではパステル黄の画素２３２は全て黄色の画素２３６に変換され、黄色の画素２３６及び黒の画素２４１とが市松模様で交番表示されることになる。黒の画素２４１に対応する色信号は黄色成分を含まないため、第２の選択手段２０６で、補正をされていない第３のＢ信号が選択されることとなり、色補正がされていない第３の色信号（黒色）が表示されることになるからである。また、黒の画素２４１は輝度、彩度を持たないため、つまり表示領域２４３は黄色の画素２３６のみで構成された画面となる。
【０３６２】
また、表示領域２４４のフレームではパステル黄の画素２３２は全て白の画素２３７に変換され、白の画素２３７及び黒の画素２４１とが市松模様で交番表示される。つまり表示領域２４４は白の画素２３７のみで構成された画面となる。
【０３６３】
そしてフレーム毎に表示領域２４３と表示領域２４４が交番するため、黄色の画素２３６のみで構成された表示領域と白の画素２３７のみで構成された表示領域がフレームで交番することになる。この場合、表示領域全体が黄色の画素２３６または白の画素２３７のみで構成されているため、フレーム交番すると、フリッカとなって見えてしまう。
【０３６４】
この課題を解決するために、パターン検出手段２１３により、表示領域に表示される複数のＲＧＢ信号が、所定の条件を満たしているか否かを検出する。この所定の条件とは、例えば、図２０に示されている表示領域２４２のような空間的配置の場合である。つまり、表示装置２１２で表示した結果、パステル黄の画素２３２であった画素が、黄色の画素２３６のみ又は白の画素２３７のみで構成される場合である。この例からわかるように、第１の切替信号発生手段２０４に応じて、パターン検出手段２１３によって判定される所定の条件を変更する必要がある。
【０３６５】
なお、図１６（ａ）の第１の切換信号発生手段２０４を施した例でいうと、パステル黄の画素２３２であった画素が黄色の画素２３６のみで構成される空間的配置は、パステル黄の画素２３２と黄色成分を含んでない色信号を表示させる画素が市松模様のパターンを構成している場合だけとは限らない。
【０３６６】
図２１に、市松模様を構成するパステル黄の画素２３２の一部を黒の画素に変更した表示領域２４５を示す。表示領域２４５はパステル黄の画素２３２を含む領域であり、表示領域２４６は図１６（ａ）の切替信号２２６を用いて第２の選択手段２０６の出力により表示されるあるフレーム時の表示領域であり、表示領域２４７は、表示領域２４６の次のフレーム時の表示領域である。表示領域２４６に示されるように、パステル黄の画素２３２であった画素が黄色の画素２３６のみで構成される。この場合もフレーム交番すると、フリッカとなって見えてしまう。
【０３６７】
上述したように、表示領域全体が黒の画素２４１を除いて、黄色の画素２３６または白の画素２３７のみで構成される場合が、本発明の所定の条件の一例に相当する。又、本発明の所定の条件の、前記色成分を含んでいない色信号については前記色補正を行わず表示し、前記色成分を含んでいる色信号については、仮に前記所定領域の画素に表示される色信号が全て所定の色成分を含んでいるとした状態で、前記第１の色信号と前記第２の色信号が空間的に交互に表示した場合とは、例えば、本実施の形態５では、所定の表示領域に表示させる色信号について、図１７の表示領域２３４に示すように黄色の画素２３６と白の画素２３７が交番表示し、黒の色信号については、そのまま黒の画素２４１として表示させた図２０の表示領域２４３、２４４、図２１の表示領域２４６、２４７に示すような場合である。
【０３６８】
尚、所定の条件として、表示領域２４２、２４３の例のように、パステル黄の画素２３２であった画素が、黄色の画素２３６のみで構成される場合である例を挙げたが、パステル黄の画素２３２であった画素に、黄色の画素２３６と比較して少量の白の画素２３７が存在していてもよい。
【０３６９】
この場合、あるフレーム時の表示領域において、黄色の画素２３６として表示される面積が、白の画素２３７として表示される面積の５％以上多く存在するような場合を所定の条件とする。この５％という数字は測定により得た実測値である。また、白の画素２３７として表示される面積が、黄色の画素２３６として表示される面積の５％以上多く存在するような場合も所定の条件とすることができる。このような所定の条件が、本発明の所定の条件の一例に相当する。
【０３７０】
尚、第１の切替信号発生手段２０４の１／２分周器２２２によって、ある特定の画素はフレーム毎に黄色の画素２３６と白の画素２３７とに交番する。この交番する際に、表示領域２４２が所定の条件を満たしているとフリッカが発生することを上記で説明した。しかし、図１６（ａ）の第１の切替信号発生手段２０４の１／２分周器２２２が無い場合には、黄色の画素２３６と白の画素２３７はフィールド毎に交番せずフリッカは発生しないが、上述した、パステル黄の画素２３２を、より彩度が増加された黄色の画素２３６と、より白色成分が増加された白の画素２３７との交番表示で表示することによって、その映像部分の明るさを増加するという効果が十分得られない。
【０３７１】
例えば、図２０のようにパステル黄の画素２３２と黒の画素２４１で市松模様のパターンを構成する表示領域２４２に、図１６（ａ）の第１の切替信号発生手段２０４を１／２分周器２２２がない構成で用い、第１の選択手段２０５の出力を表示した場合、図２０の表示領域２４３のように黄色の画素２３６と黒の画素２４１で表示領域は構成される。すなわちパステル黄の画素２３２は、より彩度が増加された黄色の画素２３６のみに変換され、その映像部分の明るさは増加しない。
【０３７２】
つまり表示領域２４２、２４３の例のように、パステル黄の画素２３２であった画素が黄色の画素２３６のみで構成される場合や、黄色の画素２３６の表示面積が白の画素２３７の表示面積に比べ５％以上多く存在するような場合であって、且つフィールド毎に黄色の画素２３６と白の画素２３７が交番しない場合には、その映像部分の明るさが増加しない。
【０３７３】
また、図２０のようにパステル黄の画素２３２と黒の画素２４１で市松模様のパターンを構成する表示領域２４２に、図１６（ａ）の第１の切替信号発生手段２０４を１／２分周器２２２がない構成で用い、第１の選択手段２０５の出力を表示した場合、表示領域２４２は表示領域２４４のように白の画素２３７と黒の画素２４１で構成される表示領域に変換される場合もある。この場合、パステル黄の画素２３２は、より白色成分が増加された白の画素２３７のみに変換され、その映像部分の彩度の減少は大きくなる。
【０３７４】
つまり表示領域２４２、２４４の例のように、パステル黄の画素２３２であった画素が白の画素２３７のみで構成される場合や、白の画素２３７の表示面積が黄色の画素２３６の表示面積に比べ５％以上多く存在するような場合であって、且つフィールド毎に黄色の画素２３６と白の画素２３７が交番しない場合、その映像部分の彩度の減少が大きい。
【０３７５】
上述したような、明度若しくは彩度の減少、またはフレーム交番の際に発生するフリッカを防止するためにパターン検出手段２１３によって所定の条件を満たしているか否かを検出する。
【０３７６】
以下に、パターン検出手段２１３の具体例について説明する。
【０３７７】
図２２、図２３、図２４を用いて、所定の条件として市松模様のパターンを検出する例を示す。図２２に示すように、市松模様パターンは黒の画素２４８、２５０、２５２とパステル黄色の画素２４９、２５１、２５３によって構成される。パターン検出手段２１３によって、パステル黄色の画素２５３が市松模様パターンに一致するかどうかを検出する例について説明する。黒、パステル黄色のそれぞれの画素のＲＧＢ信号は２４８の場合（Ｒ,Ｇ,Ｂ）=（Ｒ１,Ｇ１,Ｂ１）、２４９の場合（Ｒ,Ｇ,Ｂ）=（Ｒ２,Ｇ２,Ｂ２）、２５０の場合（Ｒ,Ｇ,Ｂ）=
（Ｒ３,Ｇ３,Ｂ３）、２５１の場合（Ｒ,Ｇ,Ｂ）=（Ｒ４,Ｇ４,Ｂ４）、２５２の場合（Ｒ,Ｇ,Ｂ）=（Ｒ５,Ｇ５,Ｂ５）、２５３の場合（Ｒ,Ｇ,Ｂ）=（Ｒ６,Ｇ６,Ｂ６）とする。
【０３７８】
パターン検出手段２１３のブロック構成図を図２３に示す。パターン検出手段２１３はラインメモリ２５４、１２個のフリップフロップ（２５５、２５６など）、第１の演算部２５７により構成される。前記１２個のフリップフロップは全て白表示素子駆動手段２０８やＲＧＢ表示素子駆動手段２１０が、画素毎の表示のタイミングを決定するためのドットクロック信号であるドットクロック信号２６８を基本クロックとして供給する。
【０３７９】
入力信号として（Ｒ,Ｇ,Ｂ）=（Ｒ６,Ｇ６,Ｂ６）が入力された場合を考える。（Ｒ６,Ｇ６,Ｂ６）はラインメモリ２５４に入力される。ラインメモリ２５４からは１ライン前のＲ
，Ｇ，Ｂ信号が出力される。それらのデータは（Ｒ,Ｇ,Ｂ）=（Ｒ３,Ｇ３,Ｂ３）である
。またフリップフロップ２５５へは信号Ｒ３が入力され、フリップフロップ２５５からは１画素前の信号Ｒ２が出力される。同様にフリップフロップ２５６へは信号Ｒ２が入力され、フリップフロップ２５６からは１画素前の信号Ｒ１が出力される。同様にしてＲ４、Ｒ５信号は、フリップフロップから出力される。これら、Ｒ１、Ｒ２、Ｒ３、Ｒ４、Ｒ５、Ｒ６の信号は第１の演算部２５７に入力される。同様にＧ１、Ｇ２、Ｇ３、Ｇ４、Ｇ５、Ｇ６、Ｂ１、Ｂ２、Ｂ３、Ｂ４、Ｂ５、Ｂ６の信号も第１の演算部２５７に入力される。
【０３８０】
演算部２５７で行う演算処理のフロー図を図２４に示す。条件式
|Ｒ１−Ｒ３|＜閾値１
が真の場合、Ｒ１とＲ３の値が近いことを意味する。同様に
|Ｇ１−Ｇ３|＜閾値１、|Ｂ１−Ｂ３|＜閾値１
も真であれば、（Ｒ,Ｇ,Ｂ）=（Ｒ１,Ｇ１,Ｂ１）と（Ｒ,Ｇ,Ｂ）=（Ｒ３,Ｇ３,Ｂ３）は信号値が近いことを意味する。すなわち、黒の画素２４８と黒の画素２５０の信号値が近いことを意味する。従って、
|Ｒ１−Ｒ３|＜閾値１、|Ｇ１−Ｇ３|＜閾値１、|Ｂ１−Ｂ３|＜閾値１
|Ｒ３−Ｒ５|＜閾値１、|Ｇ３−Ｇ５|＜閾値１、|Ｂ３−Ｂ５|＜閾値１
|Ｒ２−Ｒ４|＜閾値１、|Ｇ２−Ｇ４|＜閾値１、|Ｂ２−Ｂ４|＜閾値１
|Ｒ４−Ｒ６|＜閾値１、|Ｇ４−Ｇ６|＜閾値１、|Ｂ４−Ｂ６|＜閾値１
が全て真であれば、黒の画素２４８と２５０、黒の画素２５０と２５２、パステル黄色の画素２４９と２５１、パステル黄色の画素２５１と２５３の色が近いことを意味する。
【０３８１】
また、
|Ｒ１−Ｒ２|＜閾値２
が真の場合、Ｒ１とＲ２の値が近いことを意味する。従って
|Ｒ１−Ｒ２|＜閾値２、|Ｇ１−Ｇ２|＜閾値２、|Ｂ１−Ｂ２|＜閾値２
のいずれかひとつが偽の場合、黒の画素２４８とパステル黄色の画素２４９の色が異なることを意味する。従って、
|Ｒ１−Ｒ３|＜閾値１、|Ｇ１−Ｇ３|＜閾値１、|Ｂ１−Ｂ３|＜閾値１
|Ｒ３−Ｒ５|＜閾値１、|Ｇ３−Ｇ５|＜閾値１、|Ｂ３−Ｂ５|＜閾値１
|Ｒ２−Ｒ４|＜閾値１、|Ｇ２−Ｇ４|＜閾値１、|Ｂ２−Ｂ４|＜閾値１
|Ｒ４−Ｒ６|＜閾値１、|Ｇ４−Ｇ６|＜閾値１、|Ｂ４−Ｂ６|＜閾値１
が全て真であり、
|Ｒ１−Ｒ２|＜閾値２、|Ｇ１−Ｇ２|＜閾値２、|Ｂ１−Ｂ２|＜閾値２
のいずれかひとつが偽の場合、パステル黄色の画素２５３は市松模様のパターンの一部であることになり、パターン検出結果は０を出力する。
【０３８２】
上記条件を満たさない場合は、パステル黄色の画素２５３は市松模様のパターンの一部ではないことになり、パターン検出結果は１を出力する。
例えば、
|Ｒ１−Ｒ３|＜閾値１
が偽の場合、画素２４８と２５０の赤色が異なることになり、市松模様は構成されない。
また例えば、
|Ｒ１−Ｒ３|＜閾値１、|Ｇ１−Ｇ３|＜閾値１、|Ｂ１−Ｂ３|＜閾値１
|Ｒ３−Ｒ５|＜閾値１、|Ｇ３−Ｇ５|＜閾値１、|Ｂ３−Ｂ５|＜閾値１
|Ｒ２−Ｒ４|＜閾値１、|Ｇ２−Ｇ４|＜閾値１、|Ｂ２−Ｂ４|＜閾値１
|Ｒ４−Ｒ６|＜閾値１、|Ｇ４−Ｇ６|＜閾値１、|Ｂ４−Ｂ６|＜閾値１
が全て真であるが、
|Ｒ１−Ｒ２|＜閾値２、|Ｇ１−Ｇ２|＜閾値２、|Ｂ１−Ｂ２|＜閾値２
も全て真である場合、画素２４８、２４９、２５０、２５１、２５２、２５３の色が全て近いことになり、市松模様は構成されないことになる。
【０３８３】
なお、本実施の形態５では、パステル黄色の画素２５３が市松模様のパターンの一部であるかどうかを検出する例について説明したが、これに限らず画素２４８、２４９、２５０、２５１、２５２が市松模様のパターンの一部であるかどうかについて検出を行っても構わない。ただしその場合、図１４において他の信号と出力結果の遅延量を一致させる必要がある。
【０３８４】
例えば、図２４のフロー図でパターン検出が一致し、パステル黄色の画素２５１が市松模様のパターンの一部であると検出する場合、色成分分離検出手段２０１の出力、第１の選択手段２０５の出力、第２の選択手段２０６の入力のＢ信号、白成分検出手段２０７の入力のＲ信号およびＢ信号、ＲＧＢ表示素子駆動手段２１０の入力のＲ信号およびＢ信号を２クロック遅延する必要がある。
【０３８５】
さらに、本実施の形態５では、パステル黄色の画素が市松模様のパターンの一部であるどうかを検出する例について説明したが、これに限らず他のパターンの一部であるかの検出も加えて行っても構わない。例えば、図２１に示すような表示領域２４５のパターン検出も行ってもかまわない。ただしその場合、市松模様のパターンあるいは図２１に示すような表示領域２４５のパターンの場合は、パターン検出結果を０にする。すなわちいずれかのパターンに一致した場合は、第２の選択手段２０６は補正されていない第３のＢ信号を出力するようにする。
【０３８６】
さらに、本実施の形態５では、第１の切替信号発生手段として、フレーム交番する例について説明したが、上述したフレーム交番しない場合についても応用できる。例えば図２０においてフレーム交番を行わない場合、第１の選択手段の出力は表示領域２４３となる。この場合表示領域２４３は表示領域２４２に比べ輝度が低くなってしまい、意図する補正にならない。また例えば、図２０においてフレーム交番を行わない場合、第１の選択手段の出力は表示領域２４４となる。この場合表示領域２４４は表示領域２４２に比べ彩度が小さくなってしまい、意図する補正にならない。従ってこのような場合、パターン検出手段２１３でパターンが一致した場合、第２の選択手段から第３のＢ信号を出力する。
【０３８７】
尚、本実施の形態５では、所定の条件の一例として市松模様のパターンを例に挙げ、６つの画素に表示される６つの色信号について市松模様のパターンの一部であるか否かのパターン検出について説明したが、表示領域全体に表示される色信号の全てについて市松模様であるか否かを検出しても良い。
【０３８８】
又、黄色の画素２３６として表示される面積と、白の画素２３７として表示される面積のどちらか一方が他方よりも５％以上多く存在するような場合を所定の条件とした場合には、パターン検出手段２１３は、表示領域に表示される全ての色信号に含まれる、黄色の画素２３６として表示される色信号と、白の画素２３７として表示される色信号の量から、５％の閾値以内か否かの検出を行えばよい。
【０３８９】
なお、本実施の形態５では、表示装置２１２にＲＧＢ信号が入力されるとして説明したが、これに限らず、ＲＧＢ信号以外の色を表す信号が入力されても構わない。
【０３９０】
さらに、本実施の形態５では、表示装置２１２が黄色の見た目の違和感を減少させる処理を行ったが、マジェンダ色やシアン色の違和感を減少させる処理を行うことも出来る。
【０３９１】
さらに、本実施の形態５では、第１の信号レベル変換処理手段２０２が青色信号に施す変換は、図２（ａ）に示すように所定の輝度レベル以上で線形な変換を行っていたが、非線形な変換であっても構わない。要するに、第１の信号レベル変換処理手段２０２は、第１の信号レベル変換処理手段２０２に入力されるＢ信号を、入力時のＢ信号に比べて、より値が減少した信号になるように変換しさえすればよい。
【０３９２】
さらに、本実施の形態では、第２の信号レベル変換処理手段２０３が青色信号に施す変換は、所定の輝度レベルまでで線形な変換を行っていたが、非線形な変換であっても構わない。要するに第２の信号レベル変換処理手段２０３は、第１の信号レベル変換処理手段２０２に入力されるＢ信号を、入力時のＢ信号に比べて、値が増加した信号になるように変換しさえすればよい。
【０３９３】
（実施の形態６）
次に、実施の形態６について説明する。
【０３９４】
実施の形態６では、明るい黄色（彩度が低い黄色）すなわちパステルイエローが、その表示部分が白色に囲まれていたり、白色に隣接したりしていても、緑色がかって見えるなどの、見た目の色が異なって見える違和感を減少することが出来、さらに、表示部分が所定の条件を満たしていない場合でも、色を補正する処理を変更することにより、見た目の色が異なって見える違和感を減少することが出来る表示装置について説明する。
【０３９５】
図２５は、本実施の形態６における表示装置の構成図である。
【０３９６】
図２５の表示装置２６０は、色成分分離検出手段２０１、第１の信号レベル変換処理手段２０２、第２の信号レベル変換処理手段２０３、第１の切換信号発生手段２０４、第１の選択手段２０５、第２の選択手段２０６、白成分検出手段２０７、白表示素子駆動手段２０８、白表示部２０９、ＲＧＢ表示素子駆動手段２１０、ＲＧＢ表示部２１１、パターン検出手段２１３、第２の切換信号発生手段２５８、及び第３の選択手段２５９から構成される。
【０３９７】
上記色成分分離検出手段２０１、第１の信号レベル変換処理手段２０２、第２の信号レベル変換処理手段２０３、第１の切換信号発生手段２０４、第１の選択手段２０５、第２の選択手段２０６、白成分検出手段２０７、白表示素子駆動手段２０８、白表示部２０９、ＲＧＢ表示素子駆動手段２１０、及びＲＧＢ表示部２１１の動作は実施の形態５と同様であるため、説明は省略する。
【０３９８】
第２の切換信号発生手段２５８は例えば、図１６（ｂ）に示す構成でよく、切替信号２３０を発生する。第１の切換信号発生手段２０４は実施の形態５と同様に図１６（ａ）に示す構成であり、切替信号２２６を発生する。又、第３の選択手段２５９は、パターン検出手段２１３から所定の条件を満たしていない‘１’が入力されたときは、切替信号２２６を選択し、所定の条件を満たしている‘０’が入力されたときは、切替信号２３０を選択する手段である。
【０３９９】
以下に、本実施の形態６の表示装置２６０についての動作について説明する。
【０４００】
パステル黄色の表示領域が図２０の２４２のような、パステル黄の画素２３２と黒の画素２４１で市松模様が形成されている場合、第１の切換信号発生手段２０４の出力結果を用いて、第１の選択手段２０５を動作させると、図２０の表示領域２４３、図２０の表示領域２４４のフレーム交番となり、フリッカが発生する。
【０４０１】
そこでパターン検出手段２１３により、市松模様を検出した場合その出力を０とする。すると、第３の選択手段２５９の出力は、第２の切換信号発生手段２５８の出力である切替信号２３０となる。切替信号２３０を用いた場合を図２６に示す。表示領域２６４は切替信号２３０を用いて表示されるあるフレーム時の表示領域であり、表示領域２６５は表示領域２６４の次のフレーム時の表示領域である。切替信号２３０に基づいて、パステル黄の画素２３２のみで表示されている表示領域２３８について、表示を行った場合、図１９に示すように２画素毎に黄色の画素２３６と白の画素２３７が空間的に交互に表示されることになる。
【０４０２】
そのため、パステル黄色の表示領域が図２６の２４２のような市松模様の場合であっても、黄色の画素２３６と白の画素２３７が、あるフレーム時の表示領域２６４に表示されることになり、フレーム交番を行ってもフリッカを回避することができる。
【０４０３】
尚、上記のように２画素毎に交互に表示させることが、本発明の複数画素単位毎に空間的に交互に表示されるような制御の一例に相当する。又、２画素毎に限らなくてもよく、要するに、フリッカを回避する事が出来るように表示させることが出来さえすればよい。
【０４０４】
又、切替信号２２６は、本発明の第１の切替信号の一例に相当し、切替信号２３０は、本発明の第２の切替信号の一例に相当する。又、第３の選択手段２５９は、本発明の切替信号選択手段の一例に相当する。
【０４０５】
又、本発明の色検出手段は、例えば本実施の形態６では色成分分離検出手段２０１に相当し、本発明の色補正手段は、例えば本実施の形態６では第１の信号レベル変換処理手段２０２及び第２の信号レベル変換処理手段に相当する。又、本発明の判定手段は、例えば本実施の形態６ではパターン検出手段２１３に相当する。又、本発明の制御手段は、例えば本実施の形態６では第１の切替信号発生手段２０４、第２の切替信号発生手段２５８、第１の選択手段２０５、第２の選択手段２０６、及び第３の選択手段に相当する。又、本発明の表示手段は、例えば本実施の形態６では白成分検出手段２０７、白表示素子駆動手段２０８、白表示部２０９、ＲＧＢ表示素子駆動手段２１０、及びＲＧＢ表示部２１１に相当する。
【０４０６】
又、本実施の形態６のＲ（赤）色、Ｇ（緑）色、Ｂ（青）色は本発明の３原色の一例であり、本実施の形態のＲＧＢ信号は本発明の色信号の一例であり、本実施の形態６の黄色は本発明の所定の色の例である。
【０４０７】
なお本実施の形態では、パステル黄色の画素が市松模様のパターンの一部であるどうかを検出する例について説明したが、実施の形態５と同様に、これに限らず他のパターンの一部であるかの検出も加えて行っても構わない。
【０４０８】
さらに、本実施の形態では、第１の切替信号発生手段として、フレーム交番する例について説明したが、実施の形態５と同様に、フレーム交番しない場合についても応用できる。
【０４０９】
なお、本実施の形態６では、表示装置２６０にＲＧＢ信号が入力されるとして説明したが、これに限らず、ＲＧＢ信号以外の色を表す信号が入力されても構わない。
【０４１０】
さらに、本実施の形態６では、表示装置２６０が黄色の見た目の違和感を減少させる処理を行ったが、マジェンダ色やシアン色の違和感を減少させる処理を行うことも出来る。
【０４１１】
さらに、本実施の形態６では、第１の信号レベル変換処理手段２０２が青色信号に施す変換は、図２（ａ）に示すように所定の輝度レベル以上で線形な変換を行っていたが、非線形な変換であっても構わない。要するに、第１の信号レベル変換処理手段２０２は、第１の信号レベル変換処理手段２０２に入力されるＢ信号を、入力時のＢ信号に比べて、より値が減少した信号になるように変換しさえすればよい。
【０４１２】
さらに、本実施の形態６では、第２の信号レベル変換処理手段２０３が青色信号に施す変換は、所定の輝度レベルまでで線形な変換を行っていたが、非線形な変換であっても構わない。要するに第２の信号レベル変換処理手段２０３は、第２の信号レベル変換処理手段２０３に入力されるＢ信号を、入力時のＢ信号に比べて、値が増加した信号になるように変換しさえすればよい。
【０４１３】
実施の形態５では、明るい黄色（彩度が低い黄色）すなわちパステルイエローが、その表示部分が白色に囲まれていたり、白色に隣接したりしていても、表示部分が所定の条件を満たしていない場合、緑色がかって見えるなどの、見た目の色が異なって見える違和感を減少することが出来た。
【０４１４】
実施の形態６では、明るい黄色（彩度が低い黄色）すなわちパステルイエローが、その表示部分が白色に囲まれていたり、白色に隣接したりしていても、緑色がかって見えるなどの、見た目の色が異なって見える違和感を減少することが出来、表示部分が所定の条件を満たしていない場合でも、その処理を変更し、同様の効果を得ることができた。
【０４１５】
（実施の形態７）
以下に、実施の形態７について説明する。本実施の形態７の表示装置の基本的構成は、実施の形態５と同じであるが、所定の条件が実施の形態５と異なる。そのため、本相違点を中心に説明する。
【０４１６】
本実施の形態７では、所定の条件として、表示させた場合に黄色の色成分を含んでいる色信号が表示される画素が、空間的に２つ以上隣接して表示されないことを条件とした。この所定の条件が、本発明の所定の条件の一例に相当する。
【０４１７】
図２２の画素２４８を例に挙げてパターン検出について以下に説明する。
【０４１８】
始めに、画素２４８と画素２４９について、
|Ｒ１−Ｒ２|＜閾値１、|Ｇ１−Ｇ２|＜閾値１、|Ｂ１−Ｂ２|＜閾値１を満たすか否かの検出を行う。結果が、真の場合、画素２４８と画素２４９の色が近いことを意味し、２つ以上隣接していることを意味し、所定の条件を満たさないため、パターン検出は終了し、演算部２１４に１を出力する。
【０４１９】
偽の場合には、画素２４８と画素２５１について、
|Ｒ１−Ｒ４|＜閾値１、|Ｇ１−Ｇ４|＜閾値１、|Ｂ１−Ｂ４|＜閾値１を満たすか否かの検出を行う。結果が、真の場合、画素２４８と画素２５１の色が近いことを意味し、２つ以上隣接していることを意味するため、所定の条件を満たさないため、パターン検出は終了し、演算部２１４に１を出力する。
【０４２０】
又、偽の場合、画素２４８の水平方向に隣接する画素２４９と、画素２５０又は画素２５２の色が近いか否かを検出する。このように水平方向について検出を順次行い、最初のラインの画素について検出結果が全て偽であった場合、次のラインに移動し、上記と同様に検出を行う。そして、真が検出された時点でパターン検出は終了し、演算部２１４に１を出力する。又、表示領域に表示される色信号のすべてについてパターン検出を行っても偽であった場合は、演算部２１４に０を出力する。
【０４２１】
上記の様にパターン検出された場合、表示装置２１２は、所定の表示領域に表示される色信号が全て黄色成分を含んでいるとした状態で、黄色の画素２３６と白の画素２３７を空間的に交互に表示して、所定の色成分を含んでいない色信号については、そのまま表示する。この際に黄色の画素２３６と白の画素２３７を図１９の表示領域２３９に示すように複数画素毎に表示してもよい。このように表示することが、本発明の制御の一例に相当する。
【０４２２】
又、画素の表示毎に第１のＢ信号と第２のＢ信号を選択しているために、所定の表示領域に表示される色信号が全て黄色成分を含んでいるとした状態で、黄色の画素２３６と白の画素２３７を交互に表示していたが、色成分分離検出手段２０１により黄色成分が検出された色信号の画素への表示毎に第１のＢ信号と第２のＢ信号を切り替えるようにしてもよい。この場合、図２７の表示領域２６６に表示される色信号は、全て黄色成分を含んでいるとした状態とせずに、表示領域２６７のように複数の隣接する画素毎においてだけ黄色の画素２３６と白の画素２３７が交互に表示されることになる。このように表示することも、本発明の制御の一例に相当する。
【０４２３】
尚、本発明のプログラムは、上述した本発明の表示装置の全部又は一部の手段の機能をコンピュータにより実行させるためのプログラムであって、コンピュータと協働して動作するプログラムである。
【０４２４】
又、本発明の記録媒体は、上述した本発明の表示装置の全部又は一部の手段の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【０４２５】
尚、本発明の上記「一部の手段」とは、それらの複数の手段の内の、一つ又は幾つかの手段を意味する。
【０４２６】
又、本発明の上記「手段の機能」とは、前記手段の全部又は一部の機能を意味する。
【０４２７】
また、本発明のプログラムは、上述した本発明の表示方法の全部又は一部のステップの動作をコンピュータにより実行させるためのプログラムであって、コンピュータと協働して動作するプログラムである。
【０４２８】
又、本発明の記録媒体は、上述した本発明の表示方法の全部又は一部のステップの全部又は一部の動作をコンピュータにより実行させるためのプログラムを記録した記録媒体であり、コンピュータにより読み取り可能且つ、読み取られた前記プログラムが前記コンピュータと協動して前記動作を実行する記録媒体である。
【０４２９】
尚、本発明の上記「一部のステップ」とは、それらの複数のステップの内の、一つ又は幾つかのステップを意味する。
【０４３０】
又、本発明の上記「ステップの動作」とは、前記ステップの全部又は一部の動作を意味する。
【０４３１】
又、本発明のプログラムの一利用形態は、コンピュータにより読み取り可能な記録媒体に記録され、コンピュータと協働して動作する態様であっても良い。
【０４３２】
又、本発明のプログラムの一利用形態は、伝送媒体中を伝送し、コンピュータにより読みとられ、コンピュータと協働して動作する態様であっても良い。
【０４３３】
又、記録媒体としては、ＲＯＭ等が含まれ、伝送媒体としては、インターネット等の伝送媒体、光・電波・音波等が含まれる。
【０４３４】
又、上述した本発明のコンピュータは、ＣＰＵ等の純然たるハードウェアに限らず、ファームウェアや、ＯＳ、更に周辺機器を含むものであっても良い。
【０４３５】
尚、以上説明した様に、本発明の構成は、ソフトウェア的に実現しても良いし、ハードウェア的に実現しても良い。
【産業上の利用可能性】
【０４３６】
本発明に係る表示装置、表示方法、プログラム、及び記録媒体は、色の見え方の違和感が減少する効果を有し、一つの画素が３原色に白色を加えた４色の色で表示可能であり、前記４色の色の混合比に対応する色信号を入力し表示する表示装置、表示方法、プログラム、及び記録媒体等に有用である。
【図面の簡単な説明】
【０４３７】
【図１】図１は、本発明の実施の形態１における表示装置の構成を示すブロック図
【図２】図２（ａ）は、本発明の実施の形態１、３、及び５における第１の信号レベル変換処理手段の動作を説明する図  図２（ｂ）は、本発明の実施の形態１、３、及び５における第２の信号レベル変換処理手段の動作を説明する図
【図３】図３は、本発明の実施の形態１における黄色成分が含まれる表示画面の領域の表示例を示す図
【図４】図４（ａ）は、本発明の実施の形態１における切換信号発生手段の構成を示す図  図４（ｂ）は、本発明の実施の形態１における図４（ａ）とは別の切換信号発生手段の構成を示す図
【図５】図５は、本発明の実施の形態１及び３、及び５におけるＲＧＢ信号の一例を示す図
【図６】図６は、本発明の実施の形態２における表示装置の構成を示すブロック図
【図７】図７は、本発明の実施の形態３における表示装置の構成を示すブロック図
【図８】図８は、本発明の実施の形態３における黄色成分が含まれる表示画面の領域の表示例を示す図
【図９】図９は、本発明の実施の形態３における切換信号発生手段の構成を示す図
【図１０】図１０は、本発明の実施の形態３における切換信号１２６の出力結果例を示す図
【図１１】図１１は、図１０の場合と異なった切替信号を用いた出力結果例を示す図
【図１２】図１２は、図１０の表示領域の一部に黒の画素を含んでいる場合の切替信号１２６の出力結果例を示す図
【図１３】図１３は、本発明の実施の形態４における表示装置の構成を示すブロック図
【図１４】図１４は、本発明の実施の形態５における表示装置の構成を示すブロック図
【図１５】図１５は、本発明の実施の形態５における黄色成分が含まれる表示画面の領域の表示例を示す図
【図１６】図１６（ａ）は、本発明の実施の形態５における第１の切換信号発生手段の構成を示す図図１６（ｂ）は、本発明の実施の形態５における図１６（ａ）とは別の第１の切換信号発生手段の構成を示す図
【図１７】図１７は、本発明の実施の形態５における切換信号２２６の出力結果例を示す図
【図１８】図１８は、図１７の表示領域の一部に黒の画素を含んでいる場合の切替信号２２６の出力結果例を示す図
【図１９】図１９は、本発明の実施の形態５における切換信号２３１の出力結果例を示す図
【図２０】図２０は、本発明の実施の形態５におけるパステル黄の画素と黒の画素で市松模様のパターンを構成する表示領域の表示例を示す図
【図２１】図２１は、本発明の実施の形態５における図１９の市松模様のパステル黄の画素の一部を黒の画素に変えた例を示す図
【図２２】図２２は、本発明の実施の形態５におけるパターン検出の説明図
【図２３】図２３は、本発明の実施の形態５におけるパターン検出手段２１３の構成図
【図２４】図２４は、本発明の実施の形態５におけるパターン検出手段２１３内の論理演算回路のフロー図
【図２５】図２５は、本発明の実施の形態６における表示装置の構成を示すブロック図
【図２６】図２６は、本発明の実施の形態６におけるパステル黄の画素と黒の画素で市松模様のパターンを構成する表示領域の表示例を示す図
【図２７】図２７は、本発明の実施の形態７の変形例におけるパステル黄の画素と黒の画素で構成する表示領域の表示例を示す図
【図２８】図２８は、従来の表示装置の構成を示すブロック図
【図２９】図２９は、従来の表示装置が液晶表示装置である場合の表示面構成を示す図
【図３０】図３０は、従来の表示装置の表示画面の一例を示す図
【符号の説明】
【０４３８】
１  色成分分離検出手段
２  第１の信号レベル変換処理手段
３  第２の信号レベル変換処理手段
４  切換信号発生手段
５  第１の選択手段
６  第２の選択手段  
７  白成分検出手段
８  白表示素子駆動手段
９  白表示部
１０  ＲＧＢ表示素子駆動手段
１１  ＲＧＢ表示部
１５  黄色の画素
１６  白の画素
２０  分周器
２１  分周器
２２  １／２分周器
２７  疑似乱数発生器
２８  分周器
２９  １／２分周器
３４  色成分分離検出手段
３５  Ｒ信号レベル変換手段
３６  Ｇ信号レベル変換手段
３７  Ｂ信号レベル変換手段
３８  第１の選択手段
３９  第２の選択手段
４０  第３の選択手段
５３  演算手段
１０１  色成分分離検出手段
１０２  第１の信号レベル変換処理手段
１０３  第２の信号レベル変換処理手段
１０４  切換信号発生手段
１０５  第１の選択手段
１０６  第２の選択手段
１０７  白成分検出手段
１０８  白表示素子駆動手段
１０９  白表示部
１１０  ＲＧＢ表示素子駆動手段
１１１  ＲＧＢ表示部
１１２  表示装置
１１４  パステル黄の画素
１１５  黄色の画素
１１６  白の画素
１１７  ドットクロック信号
１１８  水平同期信号
１１９  垂直同期信号
１２０  分周器
１２１  分周器
１２２  １／２分周器 
２０１  色成分分離検出手段
２０２  第１の信号レベル変換処理手段
２０３  第２の信号レベル変換処理手段
２０４  第１の切換信号発生手段
２０５  第１の選択手段
２０６  第２の選択手段
２０７  白成分検出手段
２０８  白表示素子駆動手段
２０９  白表示部
２１０  ＲＧＢ表示素子駆動手段
２１１  ＲＧＢ表示部
２１３  パターン検出手段
２１４  演算部
【図１】
0004731326.tif 000002
【図２】
0004731326.tif 000003
【図３】
0004731326.tif 000004
【図４】
0004731326.tif 000005
【図５】
0004731326.tif 000006
【図６】
0004731326.tif 000007
【図７】
0004731326.tif 000008
【図８】
0004731326.tif 000009
【図９】
0004731326.tif 000010
【図１０】
0004731326.tif 000011
【図１１】
0004731326.tif 000012
【図１２】
0004731326.tif 000013
【図１３】
0004731326.tif 000014
【図１４】
0004731326.tif 000015
【図１５】
0004731326.tif 000016
【図１６】
0004731326.tif 000017
【図１７】
0004731326.tif 000018
【図１８】
0004731326.tif 000019
【図１９】
0004731326.tif 000020
【図２０】
0004731326.tif 000021
【図２１】
0004731326.tif 000022
【図２２】
0004731326.tif 000023
【図２３】
0004731326.tif 000024
【図２４】
0004731326.tif 000025
【図２５】
0004731326.tif 000026
【図２６】
0004731326.tif 000027
【図２７】
0004731326.tif 000028
【図２８】
0004731326.tif 000029
【図２９】
0004731326.tif 000030
【図３０】
0004731326.tif 000031